(57)【要約】      （修正有）【課題】下りデータおよび参照信号の伝送品質を向上させる送信方法および装置を提供する。【解決手段】現在サブフレームの時間周波数リソースから少なくとも１つの直交周波数分割多重（ＯＦＤＭ）シンボル対を区分し、同一のＯＦＤＭシンボル対における同一のサブキャリアで隣接する２つのリソースエレメント（ＲＥ）が１つのＲＥ対を構成し、少なくとも１つのＲＥ対を参照信号ＲＥ対として設定し、参照信号ＲＥ対以外の少なくとも１つのＲＥ対をデータＲＥ対として設定し、ＯＦＤＭシンボルに対応する送信信号を生成する際に、前記参照信号ＲＥ対およびデータＲＥ対における１番目のＲＥの前に第１の循環ガード期間を付加し、前記参照信号ＲＥ対およびデータＲＥ対における２番目のＲＥの後に第２の循環ガード期間を付加し、生成されたＯＦＤＭシンボルに対応する送信信号を送信フレームとして構成して送信する。【選択図】図１
2014057309.tif 000002
【特許請求の範囲】
【請求項１】
データの送信方法であって、
現在サブフレームの時間周波数リソースから、少なくとも１つの直交周波数分割多重（ＯＦＤＭ）シンボル対を区分し、各ＯＦＤＭシンボル対ごとに、時間で隣接する２つのＯＦＤＭシンボルが含まれ、異なるＯＦＤＭシンボル対におけるＯＦＤＭシンボルが重ならず、同一のＯＦＤＭシンボル対における同一のサブキャリアで隣接する２つのリソースエレメント（ＲＥ）が１つのリソースエレメント対を構成し、
少なくとも１つのリソースエレメント対を参照信号リソースエレメント対として設定し、前記参照信号リソースエレメント対において、２つのリソースエレメントにおけるデータを同じにする方式で、第１の設定参照信号をマッピングし、
参照信号リソースエレメント対以外のほかのリソースエレメント対のうち少なくとも１つのリソースエレメント対をデータリソースエレメント対として設定し、前記データリソースエレメント対において、１つまたは２つのデータシンボルをマッピングし、前記データリソースエレメント対において、１つのデータシンボルをマッピングする場合、２つのリソースエレメントにおけるデータを同じにする方式で、前記データシンボルをマッピングし、前記データリソースエレメント対において、２つのデータシンボルをマッピングする場合、前記２つのデータシンボルを２つのリソースエレメントにそれぞれマッピングし、
参照信号リソースエレメント対およびデータリソースエレメント対以外のほかのリソースエレメントにおいて、ほかの送信対象データをマッピングし、
ＯＦＤＭシンボルに対応する送信信号を生成する際に、ＯＦＤＭシンボル対における参照信号リソースエレメント対およびデータリソースエレメント対に対して、前記参照信号リソースエレメント対およびデータリソースエレメント対における１番目のリソースエレメントの前に、前記１番目のリソースエレメントに対応する時間領域信号の末尾部分の信号を複製した第１の循環ガード期間を付加させ、前記参照信号リソースエレメント対およびデータリソースエレメント対における２番目のリソースエレメントの後に、前記２番目のリソースエレメントに対応する時間領域信号の先頭部分の信号を複製した第２の循環ガード期間を付加させ、
生成されたＯＦＤＭシンボルに対応する送信信号を送信フレームとして構成し、前記送信フレームを送信する、
ことを含むことを特徴とする方法。
【請求項２】
ＯＦＤＭシンボルに対応する送信信号を生成する際に、参照信号リソースエレメント対およびデータリソースエレメント対以外のほかのリソースエレメントに対して、各リソースエレメントの前に、第１の循環ガード期間を付加させる、ことをさらに含む、
ことを特徴とする請求項１に記載の方法。
【請求項３】
前記ＯＦＤＭシンボルに対応する送信信号を生成することは、各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、２番目のＯＦＤＭシンボルの後に、前記２番目のＯＦＤＭシンボルの先頭部分の信号を複製した第２の循環ガード期間を付加して、前記ＯＦＤＭシンボル対の２番目のＯＦＤＭシンボルの送信信号を形成する、ことを含み、
前記参照信号リソースエレメント対およびデータリソースエレメント対以外のほかのリソースエレメントにおいて、ほかの送信対象データをマッピングする前に、ＯＦＤＭシンボル対における２番目のリソースエレメントにマッピングしようとする第１のほかの送信対象データに対して位相を補償することにより、ＯＦＤＭシンボルに対応する送信信号を生成する際に、前記第１のほかの送信対象データの前に、第１の循環ガード期間を付加させる、ことをさらに含む、
ことを特徴とする請求項２に記載の方法。
【請求項４】
前記ＯＦＤＭシンボルに対応する送信信号を生成することは、
各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、前記ＯＦＤＭシンボル対の２番目のＯＦＤＭシンボルを、すべての参照信号リソースエレメント対およびデータリソースエレメント対における２番目のリソースエレメントが含まれ、ほかのリソースエレメントに対応する位置に０で埋めた第１の部分のＯＦＤＭシンボルと、ほかのリソースエレメントが含まれ、参照信号リソースエレメント対およびデータリソースエレメント対における２番目のリソースエレメントに対応する位置に０で埋めた第２の部分のＯＦＤＭシンボルとの２つの部分に分けて処理し、前記第１の部分のＯＦＤＭシンボルの後に、前記第２の循環ガード期間を付加し、第２の部分のＯＦＤＭシンボルの前に、前記第１の循環ガード期間を付加し、その後、２つの部分のＯＦＤＭシンボルを加算して、前記ＯＦＤＭシンボル対の２番目のＯＦＤＭシンボルの送信信号を形成する、
ことを含むことを特徴とする請求項２に記載の方法。
【請求項５】
前記現在サブフレームの時間周波数リソースから、少なくとも１つのＯＦＤＭシンボル対を区分することは、
フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの位置に基づいて、区分されたＯＦＤＭシンボル対が、前記物理層制御チャネル、指示チャネル、および物理層放送チャネルのうちのいずれか１つまたは任意の組み合わせの情報伝送に影響を与えず、および／または、同期信号、セル参照信号、復調参照信号、チャネル状態情報参照信号のうちのいずれか１つまたは任意の組み合わせの伝送に影響を与えないように、現在サブフレームの時間周波数リソースから、少なくとも１つのＯＦＤＭシンボル対を区分する、
ことを含むことを特徴とする請求項１に記載の方法。
【請求項６】
前記少なくとも１つのリソースエレメント対を参照信号リソースエレメント対として設定することは、
所定のリソースブロックの各サブキャリアにおける少なくとも１つのリソースエレメント対を、参照信号リソースエレメント対として設定する、
ことを含むことを特徴とする請求項５に記載の方法。
【請求項７】
前記少なくとも１つのリソースエレメント対を参照信号リソースエレメント対として設定することは、
フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの所在するリソースエレメントの位置に基づいて、所定のリソースブロックから区分されたＯＦＤＭシンボル対の中で、使用可能なリソースエレメント対を設定し、
前記所定のリソースブロックの１つのサブキャリアにおける使用可能なリソースエレメント対が２対以上である場合、該サブキャリアにおける少なくとも１つの使用可能なリソースエレメント対を、参照信号リソースエレメント対として設定する、
ことを含むことを特徴とする請求項５に記載の方法。
【請求項８】
前記現在サブフレームの時間周波数リソースには、主同期信号と、副同期信号と、物理層放送チャネルと、上り下りの切り替え用ガード期間（ＧＰ）とを伝送しないが、物理層制御チャネルと、セル参照信号と、チャネル状態情報参照信号とを伝送するリソースブロックが含まれ、かつ、前記リソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、
前記現在サブフレームの時間周波数リソースから、少なくとも１つのＯＦＤＭシンボル対を区分することは、前記リソースブロックから、左から３番目および４番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として、１３番目および１４番目のＯＦＤＭシンボルを第５のＯＦＤＭシンボル対として区分する、ことを含み、
前記少なくとも１つのリソースエレメント対を参照信号リソースエレメント対として設定することは、第１のＯＦＤＭシンボル対の下から２番目、４番目、６番目、８番目、１０番目、および１２番目のサブキャリアにおけるリソースエレメント対を、参照信号リソースエレメント対として設定し、第５のＯＦＤＭシンボル対の下から１番目、３番目、５番目、７番目、９番目、および１１番目のサブキャリアにおけるリソースエレメント対を、参照信号リソースエレメント対として設定する、ことを含む、
ことを特徴とする請求項７に記載の方法。
【請求項９】
前記現在サブフレームの時間周波数リソースには、主同期信号と、物理層放送チャネルと、上り下りの切り替え用ガード期間（ＧＰ）とを伝送しないが、副同期信号と、物理層制御チャネルと、セル参照信号と、チャネル状態情報参照信号とを伝送するリソースブロックが含まれ、かつ、前記リソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、
前記現在サブフレームの時間周波数リソースから、少なくとも１つのＯＦＤＭシンボル対を区分することは、前記リソースブロックから、左から３番目および４番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として、１２番目および１３番目のＯＦＤＭシンボルを第５のＯＦＤＭシンボル対として区分する、ことを含み、
前記少なくとも１つのリソースエレメント対を参照信号リソースエレメント対として設定することは、第１のＯＦＤＭシンボル対の下から２番目、４番目、６番目、８番目、１０番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する、ことを含む、
ことを特徴とする請求項７に記載の方法。
【請求項１０】
前記現在サブフレームは、下りパイロット伝送タイムスロットと、上り下りの切り替え用ガード期間（ＧＰ）と、上りパイロット伝送タイムスロットとを含む特別サブフレームであり、前記サブフレームの時間周波数リソースには、副同期信号と、物理層放送チャネルとを伝送しないが、主同期信号と、物理層制御チャネルと、セル参照信号と、チャネル状態情報参照信号とを伝送する第１のリソースブロックが含まれ、かつ、前記第１のリソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、
前記現在サブフレームの時間周波数リソースから、少なくとも１つのＯＦＤＭシンボル対を区分することは、前記第１のリソースブロックから、左から４番目および５番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として区分する、ことを含み、
前記少なくとも１つのリソースエレメント対を参照信号リソースエレメント対として設定することは、前記第１のリソースブロックにおける第１のＯＦＤＭシンボル対の下から２番目、６番目、８番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する、ことを含む、
ことを特徴とする請求項７に記載の方法。
【請求項１１】
前記現在サブフレームの時間周波数リソースには、主同期信号と、副同期信号と、物理層放送チャネルとを伝送しないが、物理層制御チャネルと、セル参照信号と、チャネル状態情報参照信号とを伝送する第２のリソースブロックがさらに含まれ、かつ、前記第２のリソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、
前記現在サブフレームの時間周波数リソースから、少なくとも１つのＯＦＤＭシンボル対を区分することは、前記第２のリソースブロックから、左から４番目および５番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として区分する、ことを含み、
前記少なくとも１つのリソースエレメント対を参照信号リソースエレメント対として設定することは、前記第２のリソースブロックにおける第１のＯＦＤＭシンボル対の下から２番目、６番目、８番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する、ことを含む、
ことを特徴とする請求項１０に記載の方法。
【請求項１２】
前記現在サブフレームの時間周波数リソースには、主同期信号と、上り下りの切り替え用ガード期間（ＧＰ）とを伝送しないが、物理層放送チャネルと、物理層制御チャネルと、セル参照信号と、チャネル状態情報参照信号と、復調参照信号と、副同期信号とを伝送するリソースブロックが含まれ、かつ、前記リソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、
前記現在サブフレームの時間周波数リソースから、少なくとも１つのＯＦＤＭシンボル対を区分することは、前記リソースブロックから、左から３番目および４番目のＯＦＤＭシンボルを第１のＯＦＤＭシンボル対として、６番目および７番目のＯＦＤＭシンボルを第２のＯＦＤＭシンボル対として、１２番目および１３番目のＯＦＤＭシンボルを第３のＯＦＤＭシンボル対として区分する、ことを含み、
前記少なくとも１つのリソースエレメント対を参照信号リソースエレメント対として設定することは、第１のＯＦＤＭシンボル対の下から３番目、６番目、９番目、および１２番目のサブキャリアにおけるリソースエレメント対を、参照信号リソースエレメント対として設定し、第３のＯＦＤＭシンボル対の下から２番目、５番目、８番目、および１１番目のサブキャリアにおけるリソースエレメント対を、参照信号リソースエレメント対として設定する、ことを含む、
ことを特徴とする請求項７に記載の方法。
【請求項１３】
前記ほかの送信対象データは、セル参照信号、チャネル状態情報参照信号、および、セル参照信号を用いて復調されたデータのうちの少なくとも１つを含む、
ことを特徴とする請求項５〜１２のいずれか１項に記載の方法。
【請求項１４】
前記第１の設定参照信号は、セル参照信号、復調参照信号、およびチャネル状態情報参照信号のうちの少なくとも１つを含み、
前記現在サブフレームの時間周波数リソースから、少なくとも１つのＯＦＤＭシンボル対を区分することは、ＯＦＤＭシンボル対の位置をＬＴＥにおいて第１の設定参照信号が使用するＯＦＤＭシンボルの位置に近くして、かつＯＦＤＭシンボル対の個数をＬＴＥにおいて第１の設定参照信号が使用するＯＦＤＭシンボルの個数に一致させる原則に従って、現在サブフレームの時間周波数リソースから、少なくとも１つのＯＦＤＭシンボル対を区分する、ことを含み、
前記少なくとも１つのリソースエレメント対を参照信号リソースエレメント対として設定することは、参照信号リソースエレメント対の位置をＬＴＥにおいて第１の設定参照信号が使用するリソースエレメントの位置に近くして、かつ参照信号リソースエレメント対の個数をＬＴＥにおいて第１の設定参照信号が使用するリソースエレメントの個数に一致させる原則に従って、少なくとも１つのリソースエレメント対を参照信号リソースエレメント対として設定する、ことを含む、
ことを特徴とする請求項１に記載の方法。
【請求項１５】
前記第１の設定参照信号は、セル参照信号を含み、
前記現在サブフレームの時間周波数リソースから、少なくとも１つのＯＦＤＭシンボル対を区分することは、ＯＦＤＭシンボルを横座標として、かつＯＦＤＭシンボルの伝送時間の古い順で左から右に配列し、サブキャリアを縦座標として、かつサブキャリアの周波数の大きい順で上から下に配列する各リソースブロックごとに、前記リソースブロックから、左から１番目および２番目のＯＦＤＭシンボルを第１のＯＦＤＭシンボル対として、３番目および４番目のＯＦＤＭシンボルを第２のＯＦＤＭシンボル対として、５番目および６番目のＯＦＤＭシンボルを第３のＯＦＤＭシンボル対として、８番目および９番目のＯＦＤＭシンボルを第４のＯＦＤＭシンボル対として、１０番目および１１番目のＯＦＤＭシンボルを第５のＯＦＤＭシンボル対として、１２番目および１３番目のＯＦＤＭシンボルを第６のＯＦＤＭシンボル対として区分する、ことを含み、
前記少なくとも１つのリソースエレメント対を参照信号リソースエレメント対として設定することは、第１のＯＦＤＭシンボル対の下から１番目および７番目のサブキャリアにおけるリソースエレメント対を、第１のアンテナポートに対応する参照信号リソースエレメント対として設定し、第３のＯＦＤＭシンボル対の下から４番目および１０番目のサブキャリアにおけるリソースエレメント対を、第１のアンテナポートに対応する参照信号リソースエレメント対として設定し、第４のＯＦＤＭシンボル対の下から１番目および７番目のサブキャリアにおけるリソースエレメント対を、第１のアンテナポートに対応する参照信号リソースエレメント対として設定し、第６のＯＦＤＭシンボル対の下から４番目および１０番目のサブキャリアにおけるリソースエレメント対を、第１のアンテナポートに対応する参照信号リソースエレメント対として設定し、第１のＯＦＤＭシンボル対の下から４番目および１０番目のサブキャリアにおけるリソースエレメント対を、第２のアンテナポートに対応する参照信号リソースエレメント対として設定し、第３のＯＦＤＭシンボル対の下から１番目および７番目のサブキャリアにおけるリソースエレメント対を、第２のアンテナポートに対応する参照信号リソースエレメント対として設定し、第４のＯＦＤＭシンボル対の下から４番目および１０番目のサブキャリアにおけるリソースエレメント対を、第２のアンテナポートに対応する参照信号リソースエレメント対として設定し、第６のＯＦＤＭシンボル対の下から１番目および７番目のサブキャリアにおけるリソースエレメント対を、第２のアンテナポートに対応する参照信号リソースエレメント対として設定し、第２のＯＦＤＭシンボル対の下から１番目および７番目のサブキャリアにおけるリソースエレメント対を、第３のアンテナポートに対応する参照信号リソースエレメント対として設定し、第５のＯＦＤＭシンボル対の下から１番目および７番目のサブキャリアにおけるリソースエレメント対を、第３のアンテナポートに対応する参照信号リソースエレメント対として設定し、第２のＯＦＤＭシンボル対の下から４番目および１０番目のサブキャリアにおけるリソースエレメント対を、第４のアンテナポートに対応する参照信号リソースエレメント対として設定し、第５のＯＦＤＭシンボル対の下から４番目および１０番目のサブキャリアにおけるリソースエレメント対を、第４のアンテナポートに対応する参照信号リソースエレメント対として設定する、ことを含む、
ことを特徴とする請求項１４に記載の方法。
【請求項１６】
前記ほかの送信対象データは、前記セル参照信号、復調参照信号、およびチャネル状態情報参照信号のうち前記第１の設定参照信号以外の参照信号、物理層制御チャネルリソース、指示チャネルリソース、物理層放送チャネルリソース、および同期信号リソースのうちの少なくとも１つを含む、
ことを特徴とする請求項１４または１５に記載の方法。
【請求項１７】
前記現在サブフレームの時間周波数リソースから、少なくとも１つのＯＦＤＭシンボル対を区分する前に、現在サブフレームの時間周波数リソースにおける各リソースブロックを受信対象とするユーザのうち、チャネル品質および受信側が所定の条件を満たすユーザが存在するかどうかを判断し、チャネル品質および受信側が所定の条件を満たすユーザが存在する場合、現在サブフレームの時間周波数リソースから、少なくとも１つのＯＦＤＭシンボル対を区分する、ことをさらに含み、
前記参照信号リソースエレメント対およびデータリソースエレメント対以外のほかのリソースエレメントは、チャネル品質および受信側が所定の条件を満たさないユーザの受信対象リソースブロックにおけるすべてのリソースエレメントを含む、
ことを特徴とする請求項１〜１２、１４、１５のいずれか１項に記載の方法。
【請求項１８】
データの送信装置であって、
現在サブフレームの時間周波数リソースから、少なくとも１つの直交周波数分割多重（ＯＦＤＭ）シンボル対を区分し、各ＯＦＤＭシンボル対ごとに、時間で隣接する２つのＯＦＤＭシンボルが含まれ、異なるＯＦＤＭシンボル対におけるＯＦＤＭシンボルが重ならず、同一のＯＦＤＭシンボル対における同一のサブキャリアで隣接する２つのリソースエレメント（ＲＥ）が１つのリソースエレメント対を構成し、少なくとも１つのリソースエレメント対を参照信号リソースエレメント対として設定し、参照信号リソースエレメント対以外のほかのリソースエレメント対のうち少なくとも１つのリソースエレメント対をデータリソースエレメント対として設定する時間周波数リソース区分手段と、
前記参照信号リソースエレメント対において、２つのリソースエレメントにおけるデータを同じにする方式で、第１の設定参照信号をマッピングし、前記データリソースエレメント対において、１つまたは２つのデータシンボルをマッピングし、前記データリソースエレメント対において、１つのデータシンボルをマッピングする場合、２つのリソースエレメントにおけるデータを同じにする方式で、前記データシンボルをマッピングし、前記データリソースエレメント対において、２つのデータシンボルをマッピングする場合、前記２つのデータシンボルを２つのリソースエレメントにそれぞれマッピングし、参照信号リソースエレメント対およびデータリソースエレメント対以外のほかのリソースエレメントにおいて、ほかの送信対象データをマッピングするデータマッピング手段と、
ＯＦＤＭシンボルに対応する送信信号を生成して、生成されたＯＦＤＭシンボルに対応する送信信号を送信フレームとして構成し、ここで、ＯＦＤＭシンボルに対応する送信信号を生成する際に、各ＯＦＤＭシンボル対における参照信号リソースエレメント対およびデータリソースエレメント対に対して、前記参照信号リソースエレメント対およびデータリソースエレメント対における１番目のリソースエレメントの前に、前記１番目のリソースエレメントに対応する時間領域信号の末尾部分の信号を複製した第１の循環ガード期間を付加させ、前記参照信号リソースエレメント対およびデータリソースエレメント対における２番目のリソースエレメントの後に、前記２番目のリソースエレメントに対応する時間領域信号の先頭部分の信号を複製した第２の循環ガード期間を付加させる送信フレーム生成手段と、
生成された送信フレームを送信するデータ送信手段と、
を備えることを特徴とする装置。
【請求項１９】
前記送信フレーム生成手段は、さらに、ＯＦＤＭシンボルに対応する送信信号を生成する際に、参照信号リソースエレメント対およびデータリソースエレメント対以外のほかのリソースエレメントの前に、第１の循環ガード期間を付加させる、
ことを特徴とする請求項１８に記載の装置。
【請求項２０】
前記送信フレーム生成手段は、各ＯＦＤＭシンボル対ごとに、１番目のＯＦＤＭシンボルの前に、第１の循環ガード期間を付加して、前記ＯＦＤＭシンボル対の１番目のＯＦＤＭシンボルの送信信号を形成し、２番目のＯＦＤＭシンボルの後に、第２の循環ガード期間を付加して、前記ＯＦＤＭシンボル対の２番目のＯＦＤＭシンボルの送信信号を形成し、
前記データマッピング手段は、参照信号リソースエレメント対およびデータリソースエレメント対以外のほかのリソースエレメントにおいて、ほかの送信対象データをマッピングする前に、さらに、ＯＦＤＭシンボル対における２番目のリソースエレメントにマッピングしようとする第１のほかの送信対象データに対して位相を補償することにより、ＯＦＤＭシンボルに対応する送信信号を生成する際に、前記第１のほかの送信対象データの前に、第１の循環ガード期間を付加させる、
ことを特徴とする請求項１９に記載の装置。
【請求項２１】
前記送信フレーム生成手段は、各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、前記ＯＦＤＭシンボル対の２番目のＯＦＤＭシンボルを、すべての参照信号リソースエレメント対およびデータリソースエレメント対における２番目のリソースエレメントが含まれ、ほかのリソースエレメントに対応する位置に０で埋めた第１の部分のＯＦＤＭシンボルと、ほかのリソースエレメントが含まれ、参照信号リソースエレメント対およびデータリソースエレメント対における２番目のリソースエレメントに対応する位置に０で埋めた第２の部分のＯＦＤＭシンボルとの２つの部分に分けて処理し、前記第１の部分のＯＦＤＭシンボルの後に、前記第２の循環ガード期間を付加し、第２の部分のＯＦＤＭシンボルの前に、前記第１の循環ガード期間を付加し、その後、２つの部分のＯＦＤＭシンボルを加算して、前記ＯＦＤＭシンボル対の２番目のＯＦＤＭシンボルの送信信号を形成する、
ことを特徴とする請求項１９に記載の装置。
【請求項２２】
前記時間周波数リソース区分手段は、フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの位置に基づいて、区分されたＯＦＤＭシンボル対が、前記物理層制御チャネル、指示チャネル、および物理層放送チャネルのうちのいずれか１つまたは任意の組み合わせの情報伝送に影響を与えず、および／または、同期信号、セル参照信号、復調参照信号、チャネル状態情報参照信号のうちのいずれか１つまたは任意の組み合わせの伝送に影響を与えないように、現在サブフレームの時間周波数リソースから、少なくとも１つのＯＦＤＭシンボル対を区分する、
ことを特徴とする請求項１９に記載の装置。
【請求項２３】
前記時間周波数リソース区分手段は、所定のリソースブロックの各サブキャリアにおける少なくとも１つのリソースエレメント対を、参照信号リソースエレメント対として設定し、または、前記時間周波数リソース区分手段は、フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの所在するリソースエレメントの位置に基づいて、所定のリソースブロックから区分されたＯＦＤＭシンボル対の中で、使用可能なリソースエレメント対を設定し、前記所定のリソースブロックの１つのサブキャリアにおける使用可能なリソースエレメント対が２対以上である場合、該サブキャリアにおける少なくとも１つの使用可能なリソースエレメント対を、参照信号リソースエレメント対として設定する、
ことを特徴とする請求項２２に記載の装置。
【請求項２４】
前記第１の設定参照信号は、セル参照信号、復調参照信号、およびチャネル状態情報参照信号のうちの少なくとも１つを含み、
前記時間周波数リソース区分手段は、ＯＦＤＭシンボル対の位置をＬＴＥにおいて第１の設定参照信号が使用するＯＦＤＭシンボルの位置に近くして、かつＯＦＤＭシンボル対の個数をＬＴＥにおいて第１の設定参照信号が使用するＯＦＤＭシンボルの個数に一致させる原則に従って、現在サブフレームの時間周波数リソースから、少なくとも１つのＯＦＤＭシンボル対を区分し、参照信号リソースエレメント対の位置をＬＴＥにおいて第１の設定参照信号が使用するリソースエレメントの位置に近くして、かつ参照信号リソースエレメント対の個数をＬＴＥにおいて第１の設定参照信号が使用するリソースエレメントの個数に一致させる原則に従って、少なくとも１つのリソースエレメント対を参照信号リソースエレメント対として設定する、
ことを特徴とする請求項１９に記載の装置。
【請求項２５】
現在サブフレームの時間周波数リソースにおける各リソースブロックを受信対象とするユーザのうち、チャネル品質および受信側が所定の条件を満たすユーザが存在するかどうかを判断する判断手段をさらに備え、
前記時間周波数リソース区分手段は、チャネル品質および受信側が所定の条件を満たすユーザが存在する場合、前記現在サブフレームの時間周波数リソースから、少なくとも１つのＯＦＤＭシンボル対を区分する動作を実行し、
前記参照信号リソースエレメント対およびデータリソースエレメント対以外のほかのリソースエレメントは、チャネル品質および受信側が所定の条件を満たさないユーザの受信対象リソースブロックにおけるすべてのリソースエレメントを含む、
ことを特徴とする請求項１９〜２４のいずれか１項に記載の装置。
【発明の詳細な説明】
【技術分野】
【０００１】
本発明は移動通信技術に関し、特に、データの送信方法および装置に関する。
【背景技術】
【０００２】
直交周波数分割多重（ＯＦＤＭ）技術は、移動無線通信システムに広く応用されている。３ＧＰＰ長期的進化（ＬＴＥ）移動通信システムもＯＦＤＭを採用して、その下り伝送物理層のエアインタフェースの伝送技術とする。ＯＦＤＭに基づく無線通信システムでは、一般的に、各ＯＦＤＭシンボルに循環プレフィックス（ＣＰ）を付加して伝送を行う。ＣＰは、ＯＦＤＭシンボルの末尾部分の信号を複製したものであり、伝送する際にそれをＯＦＤＭシンボルの前に付加して伝送することになり、ガード期間として、ＯＦＤＭシステムに一定のシンボル間干渉抵抗能力を持たせる。無線チャネルのマルチパス遅延がＣＰの長さより小さい場合、無線チャネルのマルチパスによってＯＦＤＭのシンボル間干渉を引き起こすことはなく、システム性能はマルチパスの影響を受けることはない。
【０００３】
従って、ＯＦＤＭに基づく通信システムにおいて、良い通信リンク品質を得るために、ＣＰの長さについて、応用シナリオの無線チャネルマルチパス遅延拡張の分布を考慮して設計する必要がある。ＬＴＥ規格では、２種類のフレーム構造が定義され、通常循環プレフィックス長および拡張循環プレフィックス長をそれぞれ用いて、異なる応用シナリオに適応する。しかし、この２種類のフレーム構造は大きな違いがあり、同一のキャリア周波数で伝送される信号の異なる時間周波数リソースに同時に応用することができないため、一定の制限がある。
【０００４】
例えば、災害後の通信復旧のための超大規模セル、および山岳地帯に配置される移動通信セルなどのような移動通信の応用シナリオにおいて、セルにおける一部のユーザのチャネルには大きな遅延拡張がある可能性がある一方、ほかのユーザのチャネル環境は相対的に良好である。従って、このような応用シナリオについて、異なるチャネル環境にあるユーザに対して同時にサービスを提供することができるように、もっと柔軟な技術が必要となる。
【０００５】
出願番号２００７８００３６２１５．７の中国特許出願において、改善された循環ガード期間付加方法（ここで、ＰＳ−ＯＦＤＭ技術と略称する）が提案されている。この方法では、奇数番号のＯＦＤＭシンボルに対して、ＯＦＤＭシンボルの末尾部分の信号を複製し、循環ガード期間として該ＯＦＤＭシンボルの前に付加し、偶数番号のＯＦＤＭシンボルに対して、ＯＦＤＭシンボルの先頭部分の信号を複製し、循環ガード期間として該ＯＦＤＭシンボルの後に付加する。このようにして、２つのＯＦＤＭシンボルで異なる信号を伝送する場合、ＰＳ−ＯＦＤＭシステムは、シンボル間干渉に抵抗する能力が伝統のＯＦＤＭシステムと同じである一方、２つのＯＦＤＭシンボルで同じ信号を伝送する場合、ＰＳ−ＯＦＤＭ技術を用いることで、２つのＯＦＤＭシンボルの位相を連続にすることができ、これによって、もっと長い循環プレフィックス（ＣＰ）を持つＯＦＤＭシンボルを等価的に形成する。このようにして、無線チャネル遅延拡張が大きい場合、シンボル間干渉に抵抗することができる。
【０００６】
ＰＳ−ＯＦＤＭ技術は、フレーム構造における循環プレフィックスの長さを変更しないため、従来のＯＦＤＭシステムに応用することがさらに容易になる。
【発明の概要】
【発明が解決しようとする課題】
【０００７】
本発明はデータの送信方法を提案する一方、データの送信装置を提案することにより、ＰＳ−ＯＦＤＭ技術をＬＴＥ無線通信システムに応用させ、下りデータおよび参照信号のリンク品質を向上させる。
【課題を解決するための手段】
【０００８】
本発明に係るデータの送信方法であって、現在サブフレームの時間周波数リソースから、少なくとも１つの直交周波数分割多重（ＯＦＤＭ）シンボル対を区分し、各ＯＦＤＭシンボル対ごとに、時間で隣接する２つのＯＦＤＭシンボルが含まれ、異なるＯＦＤＭシンボル対におけるＯＦＤＭシンボルが重ならず、同一のＯＦＤＭシンボル対における同一のサブキャリアで隣接する２つのリソースエレメント（ＲＥ）が１つのリソースエレメント対を構成し、少なくとも１つのリソースエレメント対を参照信号リソースエレメント対として設定し、前記参照信号リソースエレメント対において、２つのリソースエレメントにおけるデータを同じにする方式で、第１の設定参照信号をマッピングし、参照信号リソースエレメント対以外のほかのリソースエレメント対のうち少なくとも１つのリソースエレメント対をデータリソースエレメント対として設定し、前記データリソースエレメント対において、１つまたは２つのデータシンボルをマッピングし、前記データリソースエレメント対において、１つのデータシンボルをマッピングする場合、２つのリソースエレメントにおけるデータを同じにする方式で、前記データシンボルをマッピングし、前記データリソースエレメント対において、２つのデータシンボルをマッピングする場合、前記２つのデータシンボルを２つのリソースエレメントにそれぞれマッピングし、参照信号リソースエレメント対およびデータリソースエレメント対以外のほかのリソースエレメントにおいて、ほかの送信対象データをマッピングし、ＯＦＤＭシンボルに対応する送信信号を生成する際に、ＯＦＤＭシンボル対における参照信号リソースエレメント対およびデータリソースエレメント対に対して、前記参照信号リソースエレメント対およびデータリソースエレメント対における１番目のリソースエレメントの前に、前記１番目のリソースエレメントに対応する時間領域信号の末尾部分の信号を複製した第１の循環ガード期間を付加させ、前記参照信号リソースエレメント対およびデータリソースエレメント対における２番目のリソースエレメントの後に、前記２番目のリソースエレメントに対応する時間領域信号の先頭部分の信号を複製した第２の循環ガード期間を付加させ、生成されたＯＦＤＭシンボルに対応する送信信号を送信フレームとして構成し、前記送信フレームを送信する、ことを含む。
【０００９】
本発明の一実施形態では、該方法は、ＯＦＤＭシンボルに対応する送信信号を生成する際に、参照信号リソースエレメント対およびデータリソースエレメント対以外のほかのリソースエレメントに対して、各リソースエレメントの前に、第１の循環ガード期間を付加させる、ことをさらに含む。
【００１０】
本発明の一実施形態では、前記ＯＦＤＭシンボルに対応する送信信号を生成することは、各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、２番目のＯＦＤＭシンボルの後に、前記２番目のＯＦＤＭシンボルの先頭部分の信号を複製した第２の循環ガード期間を付加して、前記ＯＦＤＭシンボル対の２番目のＯＦＤＭシンボルの送信信号を形成する、ことを含み、前記参照信号リソースエレメント対およびデータリソースエレメント対以外のほかのリソースエレメントにおいて、ほかの送信対象データをマッピングする前に、ＯＦＤＭシンボル対における２番目のリソースエレメントにマッピングしようとする第１のほかの送信対象データに対して位相を補償することにより、ＯＦＤＭシンボルに対応する送信信号を生成する際に、前記第１のほかの送信対象データの前に、第１の循環ガード期間を付加させる、ことをさらに含む。
【００１１】
本発明の一実施形態では、前記ＯＦＤＭシンボルに対応する送信信号を生成することは、各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、前記ＯＦＤＭシンボル対の２番目のＯＦＤＭシンボルを、すべての参照信号リソースエレメント対およびデータリソースエレメント対における２番目のリソースエレメントが含まれ、ほかのリソースエレメントに対応する位置に０で埋めた第１の部分のＯＦＤＭシンボルと、ほかのリソースエレメントが含まれ、参照信号リソースエレメント対およびデータリソースエレメント対における２番目のリソースエレメントに対応する位置に０で埋めた第２の部分のＯＦＤＭシンボルとの２つの部分に分けて処理し、前記第１の部分のＯＦＤＭシンボルの後に、前記第２の循環ガード期間を付加し、第２の部分のＯＦＤＭシンボルの前に、前記第１の循環ガード期間を付加し、その後、２つの部分のＯＦＤＭシンボルを加算して、前記ＯＦＤＭシンボル対の２番目のＯＦＤＭシンボルの送信信号を形成する、ことを含む。
【００１２】
本発明の一実施形態では、前記現在サブフレームの時間周波数リソースから、少なくとも１つのＯＦＤＭシンボル対を区分することは、フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの位置に基づいて、区分されたＯＦＤＭシンボル対が、前記物理層制御チャネル、指示チャネル、および物理層放送チャネルのうちのいずれか１つまたは任意の組み合わせの情報伝送に影響を与えず、および／または、同期信号、セル参照信号、復調参照信号、チャネル状態情報参照信号のうちのいずれか１つまたは任意の組み合わせの伝送に影響を与えないように、現在サブフレームの時間周波数リソースから、少なくとも１つのＯＦＤＭシンボル対を区分する、ことを含む。
【００１３】
本発明の一実施形態では、前記少なくとも１つのリソースエレメント対を参照信号リソースエレメント対として設定することは、所定のリソースブロックの各サブキャリアにおける少なくとも１つのリソースエレメント対を、参照信号リソースエレメント対として設定する、ことを含む。
【００１４】
本発明の一実施形態では、前記少なくとも１つのリソースエレメント対を参照信号リソースエレメント対として設定することは、フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの所在するリソースエレメントの位置に基づいて、所定のリソースブロックから区分されたＯＦＤＭシンボル対の中で、使用可能なリソースエレメント対を設定し、前記所定のリソースブロックの１つのサブキャリアにおける使用可能なリソースエレメント対が２対以上である場合、該サブキャリアにおける少なくとも１つの使用可能なリソースエレメント対を、参照信号リソースエレメント対として設定する、ことを含む。
【００１５】
本発明の一実施形態では、前記現在サブフレームの時間周波数リソースには、主同期信号と、副同期信号と、物理層放送チャネルと、上り下りの切り替え用ガード期間（ＧＰ）とを伝送しないが、物理層制御チャネルと、セル参照信号と、チャネル状態情報参照信号とを伝送するリソースブロックが含まれ、かつ、前記リソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、前記現在サブフレームの時間周波数リソースから、少なくとも１つのＯＦＤＭシンボル対を区分することは、前記リソースブロックから、左から３番目および４番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として、１３番目および１４番目のＯＦＤＭシンボルを第５のＯＦＤＭシンボル対として区分する、ことを含み、前記少なくとも１つのリソースエレメント対を参照信号リソースエレメント対として設定することは、第１のＯＦＤＭシンボル対の下から２番目、４番目、６番目、８番目、１０番目、および１２番目のサブキャリアにおけるリソースエレメント対を、参照信号リソースエレメント対として設定し、第５のＯＦＤＭシンボル対の下から１番目、３番目、５番目、７番目、９番目、および１１番目のサブキャリアにおけるリソースエレメント対を、参照信号リソースエレメント対として設定する、ことを含む。
【００１６】
本発明の一実施形態では、前記現在サブフレームの時間周波数リソースには、主同期信号と、物理層放送チャネルと、上り下りの切り替え用ガード期間（ＧＰ）とを伝送しないが、副同期信号と、物理層制御チャネルと、セル参照信号と、チャネル状態情報参照信号とを伝送するリソースブロックが含まれ、かつ、前記リソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、前記現在サブフレームの時間周波数リソースから、少なくとも１つのＯＦＤＭシンボル対を区分することは、前記リソースブロックから、左から３番目および４番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として、１２番目および１３番目のＯＦＤＭシンボルを第５のＯＦＤＭシンボル対として区分する、ことを含み、前記少なくとも１つのリソースエレメント対を参照信号リソースエレメント対として設定することは、第１のＯＦＤＭシンボル対の下から２番目、４番目、６番目、８番目、１０番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する、ことを含む。
【００１７】
本発明の一実施形態では、前記現在サブフレームは、下りパイロット伝送タイムスロットと、上り下りの切り替え用ガード期間（ＧＰ）と、上りパイロット伝送タイムスロットとを含む特別サブフレームであり、前記サブフレームの時間周波数リソースには、副同期信号と、物理層放送チャネルとを伝送しないが、主同期信号と、物理層制御チャネルと、セル参照信号と、チャネル状態情報参照信号とを伝送する第１のリソースブロックが含まれ、かつ、前記第１のリソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、前記現在サブフレームの時間周波数リソースから、少なくとも１つのＯＦＤＭシンボル対を区分することは、前記第１のリソースブロックから、左から４番目および５番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として区分する、ことを含み、前記少なくとも１つのリソースエレメント対を参照信号リソースエレメント対として設定することは、前記第１のリソースブロックにおける第１のＯＦＤＭシンボル対の下から２番目、６番目、８番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する、ことを含む。
【００１８】
本発明の一実施形態では、前記現在サブフレームの時間周波数リソースには、主同期信号と、副同期信号と、物理層放送チャネルとを伝送しないが、物理層制御チャネルと、セル参照信号と、チャネル状態情報参照信号とを伝送する第２のリソースブロックがさらに含まれ、かつ、前記第２のリソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、前記現在サブフレームの時間周波数リソースから、少なくとも１つのＯＦＤＭシンボル対を区分することは、前記第２のリソースブロックから、左から４番目および５番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として区分する、ことを含み、前記少なくとも１つのリソースエレメント対を参照信号リソースエレメント対として設定することは、前記第２のリソースブロックにおける第１のＯＦＤＭシンボル対の下から２番目、６番目、８番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する、ことを含む。
【００１９】
本発明の一実施形態では、前記現在サブフレームの時間周波数リソースには、主同期信号と、上り下りの切り替え用ガード期間（ＧＰ）とを伝送しないが、物理層放送チャネルと、物理層制御チャネルと、セル参照信号と、チャネル状態情報参照信号と、復調参照信号と、副同期信号とを伝送するリソースブロックが含まれ、かつ、前記リソースブロックは、ＯＦＤＭシンボルを横座標として、ＯＦＤＭシンボルの伝送時間の古い順で左から右に配列し、サブキャリアを縦座標として、サブキャリアの周波数の大きい順で上から下に配列するものであり、前記現在サブフレームの時間周波数リソースから、少なくとも１つのＯＦＤＭシンボル対を区分することは、前記リソースブロックから、左から３番目および４番目のＯＦＤＭシンボルを第１のＯＦＤＭシンボル対として、６番目および７番目のＯＦＤＭシンボルを第２のＯＦＤＭシンボル対として、１２番目および１３番目のＯＦＤＭシンボルを第３のＯＦＤＭシンボル対として区分する、ことを含み、前記少なくとも１つのリソースエレメント対を参照信号リソースエレメント対として設定することは、第１のＯＦＤＭシンボル対の下から３番目、６番目、９番目、および１２番目のサブキャリアにおけるリソースエレメント対を、参照信号リソースエレメント対として設定し、第３のＯＦＤＭシンボル対の下から２番目、５番目、８番目、および１１番目のサブキャリアにおけるリソースエレメント対を、参照信号リソースエレメント対として設定する、ことを含む。
【００２０】
本発明の一実施形態では、前記ほかの送信対象データは、セル参照信号、チャネル状態情報参照信号、および、セル参照信号を用いて復調されたデータのうちの少なくとも１つを含む。
【００２１】
本発明の一実施形態では、前記第１の設定参照信号は、セル参照信号、復調参照信号、およびチャネル状態情報参照信号のうちの少なくとも１つを含み、前記現在サブフレームの時間周波数リソースから、少なくとも１つのＯＦＤＭシンボル対を区分することは、ＯＦＤＭシンボル対の位置をＬＴＥにおいて第１の設定参照信号が使用するＯＦＤＭシンボルの位置に近くして、かつＯＦＤＭシンボル対の個数をＬＴＥにおいて第１の設定参照信号が使用するＯＦＤＭシンボルの個数に一致させる原則に従って、現在サブフレームの時間周波数リソースから、少なくとも１つのＯＦＤＭシンボル対を区分する、ことを含み、前記少なくとも１つのリソースエレメント対を参照信号リソースエレメント対として設定することは、参照信号リソースエレメント対の位置をＬＴＥにおいて第１の設定参照信号が使用するリソースエレメントの位置に近くして、かつ参照信号リソースエレメント対の個数をＬＴＥにおいて第１の設定参照信号が使用するリソースエレメントの個数に一致させる原則に従って、少なくとも１つのリソースエレメント対を参照信号リソースエレメント対として設定する、ことを含む。
【００２２】
本発明の一実施形態では、前記第１の設定参照信号は、セル参照信号を含み、前記現在サブフレームの時間周波数リソースから、少なくとも１つのＯＦＤＭシンボル対を区分することは、ＯＦＤＭシンボルを横座標として、かつＯＦＤＭシンボルの伝送時間の古い順で左から右に配列し、サブキャリアを縦座標として、かつサブキャリアの周波数の大きい順で上から下に配列する各リソースブロックごとに、前記リソースブロックの左から１番目および２番目のＯＦＤＭシンボルを第１のＯＦＤＭシンボル対として、３番目および４番目のＯＦＤＭシンボルを第２のＯＦＤＭシンボル対として、５番目および６番目のＯＦＤＭシンボルを第３のＯＦＤＭシンボル対として、８番目および９番目のＯＦＤＭシンボルを第４のＯＦＤＭシンボル対として、１０番目および１１番目のＯＦＤＭシンボルを第５のＯＦＤＭシンボル対として、１２番目および１３番目のＯＦＤＭシンボルを第６のＯＦＤＭシンボル対として区分する、ことを含み、前記少なくとも１つのリソースエレメント対を参照信号リソースエレメント対として設定することは、第１のＯＦＤＭシンボル対の下から１番目および７番目のサブキャリアにおけるリソースエレメント対を、第１のアンテナポートに対応する参照信号リソースエレメント対として設定し、第３のＯＦＤＭシンボル対の下から４番目および１０番目のサブキャリアにおけるリソースエレメント対を、第１のアンテナポートに対応する参照信号リソースエレメント対として設定し、第４のＯＦＤＭシンボル対の下から１番目および７番目のサブキャリアにおけるリソースエレメント対を、第１のアンテナポートに対応する参照信号リソースエレメント対として設定し、第６のＯＦＤＭシンボル対の下から４番目および１０番目のサブキャリアにおけるリソースエレメント対を、第１のアンテナポートに対応する参照信号リソースエレメント対として設定し、第１のＯＦＤＭシンボル対の下から４番目および１０番目のサブキャリアにおけるリソースエレメント対を、第２のアンテナポートに対応する参照信号リソースエレメント対として設定し、第３のＯＦＤＭシンボル対の下から１番目および７番目のサブキャリアにおけるリソースエレメント対を、第２のアンテナポートに対応する参照信号リソースエレメント対として設定し、第４のＯＦＤＭシンボル対の下から４番目および１０番目のサブキャリアにおけるリソースエレメント対を、第２のアンテナポートに対応する参照信号リソースエレメント対として設定し、第６のＯＦＤＭシンボル対の下から１番目および７番目のサブキャリアにおけるリソースエレメント対を、第２のアンテナポートに対応する参照信号リソースエレメント対として設定し、第２のＯＦＤＭシンボル対の下から１番目および７番目のサブキャリアにおけるリソースエレメント対を、第３のアンテナポートに対応する参照信号リソースエレメント対として設定し、第５のＯＦＤＭシンボル対の下から１番目および７番目のサブキャリアにおけるリソースエレメント対を、第３のアンテナポートに対応する参照信号リソースエレメント対として設定し、第２のＯＦＤＭシンボル対の下から４番目および１０番目のサブキャリアにおけるリソースエレメント対を、第４のアンテナポートに対応する参照信号リソースエレメント対として設定し、第５のＯＦＤＭシンボル対の下から４番目および１０番目のサブキャリアにおけるリソースエレメント対を、第４のアンテナポートに対応する参照信号リソースエレメント対として設定する、ことを含む。
【００２３】
本発明の一実施形態では、前記ほかの送信対象データは、前記セル参照信号、復調参照信号、およびチャネル状態情報参照信号のうち前記第１の設定参照信号以外の参照信号、物理層制御チャネルリソース、指示チャネルリソース、物理層放送チャネルリソース、および同期信号リソースのうちの少なくとも１つを含む。
【００２４】
本発明の一実施形態では、前記現在サブフレームの時間周波数リソースから、少なくとも１つのＯＦＤＭシンボル対を区分する前に、現在サブフレームの時間周波数リソースにおける各リソースブロックを受信対象とするユーザのうち、チャネル品質および受信側が所定の条件を満たすユーザが存在するかどうかを判断し、チャネル品質および受信側が所定の条件を満たすユーザが存在する場合、現在サブフレームの時間周波数リソースから、少なくとも１つのＯＦＤＭシンボル対を区分する、ことをさらに含み、前記参照信号リソースエレメント対およびデータリソースエレメント対以外のほかのリソースエレメントは、チャネル品質および受信側が所定の条件を満たさないユーザの受信対象リソースブロックにおけるすべてのリソースエレメントを含む。
【００２５】
本発明に係るデータの送信装置であって、現在サブフレームの時間周波数リソースから、少なくとも１つの直交周波数分割多重（ＯＦＤＭ）シンボル対を区分し、各ＯＦＤＭシンボル対ごとに、時間で隣接する２つのＯＦＤＭシンボルが含まれ、異なるＯＦＤＭシンボル対におけるＯＦＤＭシンボルが重ならず、同一のＯＦＤＭシンボル対における同一のサブキャリアで隣接する２つのリソースエレメント（ＲＥ）が１つのリソースエレメント対を構成し、少なくとも１つのリソースエレメント対を参照信号リソースエレメント対として設定し、参照信号リソースエレメント対以外のほかのリソースエレメント対のうち少なくとも１つのリソースエレメント対をデータリソースエレメント対として設定する時間周波数リソース区分手段と、前記参照信号リソースエレメント対において、２つのリソースエレメントにおけるデータを同じにする方式で、第１の設定参照信号をマッピングし、前記データリソースエレメント対において、１つまたは２つのデータシンボルをマッピングし、前記データリソースエレメント対において、１つのデータシンボルをマッピングする場合、２つのリソースエレメントにおけるデータを同じにする方式で、前記データシンボルをマッピングし、前記データリソースエレメント対において、２つのデータシンボルをマッピングする場合、前記２つのデータシンボルを２つのリソースエレメントにそれぞれマッピングし、参照信号リソースエレメント対およびデータリソースエレメント対以外のほかのリソースエレメントにおいて、ほかの送信対象データをマッピングするデータマッピング手段と、ＯＦＤＭシンボルに対応する送信信号を生成して、生成されたＯＦＤＭシンボルに対応する送信信号を送信フレームとして構成し、ここで、ＯＦＤＭシンボルに対応する送信信号を生成する際に、各ＯＦＤＭシンボル対における参照信号リソースエレメント対およびデータリソースエレメント対に対して、前記参照信号リソースエレメント対およびデータリソースエレメント対における１番目のリソースエレメントの前に、前記１番目のリソースエレメントに対応する時間領域信号の末尾部分の信号を複製した第１の循環ガード期間を付加させ、前記参照信号リソースエレメント対およびデータリソースエレメント対における２番目のリソースエレメントの後に、前記２番目のリソースエレメントに対応する時間領域信号の先頭部分の信号を複製した第２の循環ガード期間を付加させる送信フレーム生成手段と、生成された送信フレームを送信するデータ送信手段と、を備える。
【００２６】
本発明の一実施形態では、前記送信フレーム生成手段は、さらに、ＯＦＤＭシンボルに対応する送信信号を生成する際に、参照信号リソースエレメント対およびデータリソースエレメント対以外のほかのリソースエレメントの前に、第１の循環ガード期間を付加させる。
【００２７】
本発明の一実施形態では、前記送信フレーム生成手段は、各ＯＦＤＭシンボル対ごとに、１番目のＯＦＤＭシンボルの前に、第１の循環ガード期間を付加して、前記ＯＦＤＭシンボル対の１番目のＯＦＤＭシンボルの送信信号を形成し、２番目のＯＦＤＭシンボルの後に、第２の循環ガード期間を付加して、前記ＯＦＤＭシンボル対の２番目のＯＦＤＭシンボルの送信信号を形成し、前記データマッピング手段は、参照信号リソースエレメント対およびデータリソースエレメント対以外のほかのリソースエレメントにおいて、ほかの送信対象データをマッピングする前に、さらに、ＯＦＤＭシンボル対における２番目のリソースエレメントにマッピングしようとする第１のほかの送信対象データに対して位相を補償することにより、ＯＦＤＭシンボルに対応する送信信号を生成する際に、前記第１のほかの送信対象データの前に、第１の循環ガード期間を付加させる。
【００２８】
本発明の一実施形態では、前記送信フレーム生成手段は、各ＯＦＤＭシンボル対に対して、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、前記ＯＦＤＭシンボル対の２番目のＯＦＤＭシンボルを、すべての参照信号リソースエレメント対およびデータリソースエレメント対における２番目のリソースエレメントが含まれ、ほかのリソースエレメントに対応する位置に０で埋めた第１の部分のＯＦＤＭシンボルと、ほかのリソースエレメントが含まれ、参照信号リソースエレメント対およびデータリソースエレメント対における２番目のリソースエレメントに対応する位置に０で埋めた第２の部分のＯＦＤＭシンボルとの２つの部分に分けて処理し、前記第１の部分のＯＦＤＭシンボルの後に、前記第２の循環ガード期間を付加し、第２の部分のＯＦＤＭシンボルの前に、前記第１の循環ガード期間を付加し、その後、２つの部分のＯＦＤＭシンボルを加算して、前記ＯＦＤＭシンボル対の２番目のＯＦＤＭシンボルの送信信号を形成する。
【００２９】
本発明の一実施形態では、前記時間周波数リソース割当手段は、フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの位置に基づいて、区分されたＯＦＤＭシンボル対が、前記物理層制御チャネル、指示チャネル、および物理層放送チャネルのうちのいずれか１つまたは任意の組み合わせの情報伝送に影響を与えず、および／または、同期信号、セル参照信号、復調参照信号、チャネル状態情報参照信号のうちのいずれか１つまたは任意の組み合わせの伝送に影響を与えないように、現在サブフレームの時間周波数リソースから、少なくとも１つのＯＦＤＭシンボル対を区分する。
【００３０】
本発明の一実施形態では、前記時間周波数リソース区分手段は、所定のリソースブロックの各サブキャリアにおける少なくとも１つのリソースエレメント対を、参照信号リソースエレメント対として設定し、または、前記時間周波数リソース区分手段は、フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの所在するリソースエレメントの位置に基づいて、所定のリソースブロックから区分されたＯＦＤＭシンボル対の中で、使用可能なリソースエレメント対を設定し、前記所定のリソースブロックの１つのサブキャリアにおける使用可能なリソースエレメント対が２対以上である場合、該サブキャリアにおける少なくとも１つの使用可能なリソースエレメント対を、参照信号リソースエレメント対として設定する。
【００３１】
本発明の一実施形態では、前記第１の設定参照信号は、セル参照信号、復調参照信号、およびチャネル状態情報参照信号のうちの少なくとも１つを含み、前記時間周波数リソース区分手段は、ＯＦＤＭシンボル対の位置をＬＴＥにおいて第１の設定参照信号が使用するＯＦＤＭシンボルの位置に近くして、かつＯＦＤＭシンボル対の個数をＬＴＥにおいて第１の設定参照信号が使用するＯＦＤＭシンボルの個数に一致させる原則に従って、現在サブフレームの時間周波数リソースから、少なくとも１つのＯＦＤＭシンボル対を区分し、参照信号リソースエレメント対の位置をＬＴＥにおいて第１の設定参照信号が使用するリソースエレメントの位置に近くして、かつ参照信号リソースエレメント対の個数をＬＴＥにおいて第１の設定参照信号が使用するリソースエレメントの個数に一致させる原則に従って、少なくとも１つのリソースエレメント対を参照信号リソースエレメント対として設定する。
【００３２】
本発明の一実施形態では、該装置は、現在サブフレームの時間周波数リソースにおける各リソースブロックを受信対象とするユーザのうち、チャネル品質および受信側が所定の条件を満たすユーザが存在するかどうかを判断する判断手段をさらに備え、前記時間周波数リソース区分手段は、チャネル品質および受信側が所定の条件を満たすユーザが存在する場合、前記現在サブフレームの時間周波数リソースから、少なくとも１つのＯＦＤＭシンボル対を区分する動作を実行し、前記参照信号リソースエレメント対およびデータリソースエレメント対以外のほかのリソースエレメントは、チャネル品質および受信側が所定の条件を満たさないユーザの受信対象リソースブロックにおけるすべてのリソースエレメントを含む。
【発明の効果】
【００３３】
本発明では、現在サブフレームの時間周波数リソースから、ＯＦＤＭシンボル対、ならびに参照信号リソースエレメント対およびデータリソースエレメント対が区分され、参照信号リソースエレメント対で同じ参照信号データを伝送させ、データリソースエレメント対も同じデータを伝送可能にし、かつ送信フレームを生成する際に、該リソースエレメント対の１番目のリソースエレメントの前に第１の循環ガード期間を付加し、該リソースエレメント対の２番目のリソースエレメントの後に第２の循環ガード期間を付加することにより、該参照信号リソースエレメント対およびデータリソースエレメント対の位相を連続にし、これによって、もっと長い循環プレフィックス（ＣＰ）を持つＯＦＤＭシンボルを等価的に形成する。このようにして、無線チャネル遅延拡張が大きい場合、シンボル間干渉に抵抗することができ、これによって、該参照信号およびデータリソースエレメント対におけるデータがもっと良く保護される。
【００３４】
ここで、参照信号リソースエレメント対で伝送される参照信号は、既存の様々な参照信号であってよく、新規追加の参照信号であってよい。それが新規追加の参照信号である場合、本発明では、フレーム構造における物理層制御チャネルリソース、指示チャネルリソース、物理層放送チャネルリソース、同期信号リソース、セル参照信号リソース、復調参照信号リソース、チャネル状態情報参照信号リソースなどの特別なチャネルおよび信号の位置に基づいて、現在サブフレームの時間周波数リソースから、ＯＦＤＭシンボル対を区分することにより、区分されたＯＦＤＭシンボル対が前記特別なチャネルおよび特別な信号の伝送に影響を与えないようにし、これによって、従来のＬＴＥ規格と最大の互換性を得る。
【００３５】
また、ＯＦＤＭシンボル対および参照信号リソースエレメント対への区分は、リソースブロックを単位とすることができ、即ち、チャネル条件が悪くてかつＰＳ−ＯＦＤＭ技術をサポートする受信側について、そのリソースブロックは、ＰＳ−ＯＦＤＭ技術を採用して処理することができ、チャネル条件がよい受信側、またはチャネル条件が悪いがＰＳ−ＯＦＤＭ技術をサポートしない受信側について、そのリソースブロックは、依然として従来のＬＴＥ規格を採用して処理することができる。この場合、本発明でデータマッピングを行う際に、予め、この部分のリソースブロックにおいてＯＦＤＭシンボル対の２番目のＯＦＤＭシンボルにマッピングしようとするデータに対して位相を補償することにより、送信フレームを生成する際に、その位相を、ＰＳ−ＯＦＤＭ技術を採用せずに従来のＬＴＥ規格を採用して処理する場合の位相に一致させるだけでよい。あるいは、ＰＳ−ＯＦＤＭ技術を採用して処理するリソースブロックおよび従来のＬＴＥ規格を採用して処理するリソースブロックにおいてＯＦＤＭシンボル対にある２番目のＯＦＤＭシンボルを、ＯＦＤＭシンボルの後に第２の循環ガード期間を付加する部分と、ＯＦＤＭシンボルの前に第１の循環ガード期間を付加する部分との異なる部分に分けて処理し、その後、２つの部分のＯＦＤＭシンボルを加算して、前記ＯＦＤＭシンボル対の２番目のＯＦＤＭシンボルの送信信号を形成する。このようにして、従来の受信側と互換性がある一方、本発明の解決手段の応用をもっと柔軟にすることができる。
【００３６】
また、例えば、チャネル状態情報参照信号などのような特別な要求がある敏感なデータについて、それをＯＦＤＭシンボル対の２番目のＯＦＤＭシンボルにマッピングしようとすると、それに対して、マッピングする際に位相を補償することもでき、これによって、送信フレームを生成する際に、その位相を、ＰＳ−ＯＦＤＭ技術を採用せずに従来のＬＴＥ規格を採用して処理する場合の位相に一致させる。または、それを、ＯＦＤＭシンボルの前に第１の循環ガード期間を付加するＯＦＤＭシンボルの部分とする。このようにして、これらの敏感なデータが影響を受けないことを保証することができる一方、参照信号を保護することもできる。
【図面の簡単な説明】
【００３７】
【図１】本発明の実施例におけるデータの送信方法の例示的な構成図である。
【図２】本発明の例示の１における第１の設定参照信号がセル参照信号である場合のリソースブロックの時間周波数リソースの区分の概略図である。
【図３】本発明の例示の２における典型的な下りサブフレームリソースブロックの時間周波数リソースの区分の概略図である。
【図４】本発明の例示の２における放送チャネルを含むリソースブロックの時間周波数リソースの区分の概略図である。
【図５】本発明の例示の２における放送チャネルを含むリソースブロックの時間周波数リソースのほかの区分の概略図である。
【図６】本発明の例示の２における副同期信号を含むリソースブロックの時間周波数リソースの区分の概略図である。
【図７】本発明の例示の２における特別サブフレームでの主同期信号を含むリソースブロックの時間周波数リソースの区分の概略図である。
【図８】本発明の例示の２における特別サブフレームでの主同期信号を含まないリソースブロックの時間周波数リソースの区分の概略図である。
【図９】本発明の実施例におけるデータの送信装置の例示的な構成図である。
【発明を実施するための形態】
【００３８】
図１は、本発明の実施例におけるデータの送信方法の例示的な構成図である。図１に示すように、該方法は、以下のようなステップを含む。
【００３９】
ステップ１０１で、現在サブフレームの時間周波数リソースから、少なくとも１つの直交周波数分割多重（ＯＦＤＭ）シンボル対を区分し、各ＯＦＤＭシンボル対ごとに、時間で隣接する２つのＯＦＤＭシンボルが含まれ、異なるＯＦＤＭシンボル対におけるＯＦＤＭシンボルが重ならず、同一のＯＦＤＭシンボル対における同一のサブキャリアで隣接する２つのリソースエレメント（ＲＥ：Ｒｅｓｏｕｒｃｅ  Ｅｌｅｍｅｎｔ）が１つのリソースエレメント対を構成し、少なくとも１つのリソースエレメント対を参照信号リソースエレメント対として設定し、参照信号リソースエレメント対以外の少なくとも１つのリソースエレメント対をデータリソースエレメント対として設定する。
【００４０】
本ステップにおいて、各参照信号リソースエレメント対における２つのリソースエレメントが、同じ参照信号データの伝送に用いられる。
【００４１】
ステップ１０２で、前記参照信号リソースエレメント対において、２つのリソースエレメントにおけるデータを同じにする方式で、第１の設定参照信号をマッピングし、前記データリソースエレメント対において、１つまたは２つのデータシンボルをマッピングし、前記データリソースエレメント対において、１つのデータシンボルをマッピングする場合、２つのリソースエレメントにおけるデータを同じにする方式で、前記データシンボルをマッピングし、前記データリソースエレメント対において、２つのデータシンボルをマッピングする場合、前記２つのデータシンボルを２つのリソースエレメントにそれぞれマッピングする。
【００４２】
ここで、第１の設定参照信号は、従来技術における既存の参照信号であってよく、新規追加の参照信号であってよい。
【００４３】
本実施例では、第１の設定参照信号は、任意のシーケンス発生器により発生され、参照信号リソースエレメント対にマッピングされる。
【００４４】
例えば、Ｇｏｌｄ符号シーケンス発生器に基づき、該第１の設定参照信号を生成することができる。第１の設定参照信号のシーケンスをｒ（ｍ）とすると、下記の数式１に示す規則に従って生成することができる。
【００４５】
【数１】
2014057309.tif 000003
【００４６】
シーケンスが生成された後、ｒ（ｍ）の１番目の要素ｒ（０）を１番目の参照信号リソースエレメント対にマッピングすることができ、即ち、１番目の参照信号リソースエレメント対における２つのリソースエレメントで、いずれもｒ（０）を伝送し、ｒ（１）を２番目の参照信号リソースエレメント対にマッピングし、このように類推する。
【００４７】
ここで、データリソースエレメントにおいて、物理層の各チャネルのデータをマッピングすることができる。各データリソースエレメント対にマッピングされるデータシンボルの個数（１または２）を、下り制御チャネル、放送信号などの方式で受信側に通知することができる。もちろん、送信側と受信側の間で事前に約束がある場合、約束に従ってマッピングすることができる。
【００４８】
ステップ１０３で、参照信号リソースエレメント対およびデータリソースエレメント対以外のほかのリソースエレメントにおいて、ほかの送信対象データをマッピングする。
【００４９】
本ステップにおいて、ほかの送信対象データには、ほかの参照信号、特別信号、データリソースエレメント対にマッピングされていない物理層の各チャネルのほかのデータなどが含まれてよい。
【００５０】
ここで、参照信号リソースエレメント対およびデータリソースエレメント対以外のほかのリソースエレメント対に対して、各リソースエレメント対に１つの送信信号がマッピングされてもよく、２つの送信信号がマッピングされてもよい。リソースエレメント対に１つの送信信号がマッピングされる場合、２つのリソースエレメントで同様な信号を伝送し、リソースエレメント対に２つの送信信号がマッピングされる場合、２つのリソースエレメントで２つの異なる送信信号を伝送する。各データリソースエレメント対にマッピングされる信号の個数（１または２）を、下り制御チャネル、放送信号などの方式で受信側に通知することができる。もちろん、送信側と受信側の間で事前に約束がある場合、約束に従ってマッピングすることができる。
【００５１】
ステップ１０４で、データがマッピングされたＯＦＤＭシンボルに対して、逆フーリエ（ＩＦＦＴ）変換を用いて時間領域ＯＦＤＭシンボルを生成する。
【００５２】
ステップ１０５で、ＯＦＤＭシンボルに対応する送信信号を生成する際に、前記ＯＦＤＭシンボル対における参照信号リソースエレメント対およびデータリソースエレメント対に対して、ＰＳ−ＯＦＤＭ方法を用いて処理を行う。即ち、前記参照信号リソースエレメント対およびデータリソースエレメント対における１番目のリソースエレメントの前に第１の循環ガード期間を付加させ、前記参照信号リソースエレメント対およびデータリソースエレメント対における２番目のリソースエレメントの後に第２の循環ガード期間を付加させる。
【００５３】
本実施例では、ある特定タイプの敏感なデータを搭載するリソースエレメントについて、それを従来の規格と互換性があるようにすることを考慮してもよく、あるいは、いっそ参照信号リソースエレメント対およびデータリソースエレメント対以外のほかのリソースエレメントについて、それらのいずれかを従来の規格と互換性があるようにすることを考慮してもよい。この場合、第１の循環ガード期間（即ち、循環プレフィックス）を、依然として該リソースエレメントの前に付加することができる。
【００５４】
ここで、参照信号リソースエレメント対およびデータリソースエレメント対以外のほかのリソースエレメントには、ＯＦＤＭシンボル対における参照信号リソースエレメント対およびデータリソースエレメント対以外のほかのリソースエレメントと、ＯＦＤＭシンボル対として区分されていないＯＦＤＭシンボルにおけるリソースエレメントとが含まれる。
【００５５】
本実施例では、第１の循環ガード期間は、前記１番目のリソースエレメントに対応する時間領域信号の末尾部分の信号を複製したものであり、第２の循環ガード期間は、前記２番目のリソースエレメントに対応する時間領域信号の先頭部分の信号を複製したものである。
【００５６】
ステップ１０６で、生成されたＯＦＤＭシンボルに対応する送信信号を送信フレームとして構成し、前記送信フレームを送信する。
【００５７】
本ステップにおいて、ＲＦ回路を介して伝送フレームを送信することができる。
【００５８】
本実施例では、ステップ１０５でＯＦＤＭシンボルに対応する送信信号を生成する際に、ＯＦＤＭシンボル対として区分されていないＯＦＤＭシンボルにおけるリソースエレメントに対して、各リソースエレメントの前に第１の循環ガード期間を付加させる具体的な実現方法は、従来技術の方法に一致してもよい。
【００５９】
ステップ１０５でＯＦＤＭシンボルに対応する送信信号を生成する際に、ＯＦＤＭシンボル対における参照信号リソースエレメント対およびデータリソースエレメント対に対して、前記参照信号リソースエレメント対およびデータリソースエレメント対の１番目のリソースエレメントの前に第１の循環ガード期間を付加させ、前記参照信号リソースエレメント対およびデータリソースエレメント対における２番目のリソースエレメントの後に第２の循環ガード期間を付加させ、かつＯＦＤＭシンボル対における参照信号リソースエレメント対およびデータリソースエレメント対以外のほかのリソースエレメントに対して、各リソースエレメントの前に第１の循環ガード期間を付加させる具体的な実現方法はいくつかがあり、以下、２種類の方法を挙げる。
【００６０】
その１、位相補償法。
【００６１】
参照信号リソースエレメント対およびデータリソースエレメント対以外のほかのリソースエレメントにおいて、ほかの送信対象データをマッピングする前に、ＯＦＤＭシンボル対における２番目のリソースエレメントにマッピングしようとする送信対象データに対して位相を補償することにより、ＯＦＤＭシンボルに対応する送信信号を生成する際に、前記送信対象データの前に、第１の循環ガード期間を付加させる。
【００６２】
その後、ＯＦＤＭシンボルに対応する送信信号を生成する際に、各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、２番目のＯＦＤＭシンボルの後に、前記２番目のＯＦＤＭシンボルの先頭部分の信号を複製した第２の循環ガード期間を付加して、前記ＯＦＤＭシンボル対の２番目のＯＦＤＭシンボルの送信信号を形成する。
【００６３】
ここで、具体的な位相補償方法は、以下の通りであってよい。
【００６４】
ステップ１０５でシステムが使用する逆フーリエ変換（ＩＦＦＴ）の長さをＮ個のサンプリング点として、第２の循環ガード期間の長さをＭ個のサンプリング点として（通常、Ｍ＜Ｎ）、位相補償を行う必要があるリソースエレメントがＩＦＦＴの番号ｋのサブキャリアの位置にあり（０≦ｋ＜Ｎ）、該リソースエレメントにマッピングする必要があるデータをｄとして、実際に該リソースエレメントにマッピングする補償後のデータをｃとすると、数式２に示すようになる。
【００６５】
【数２】
2014057309.tif 000004
【００６６】
その２、グループ分け処理法。
【００６７】
各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、前記ＯＦＤＭシンボル対の２番目のＯＦＤＭシンボルを、すべての参照信号リソースエレメント対およびデータリソースエレメント対における２番目のリソースエレメントが含まれ、参照信号リソースエレメント対およびデータリソースエレメント対における２番目のリソースエレメント以外のほかのリソースエレメントに対応する位置に０で埋めた第１の部分のＯＦＤＭシンボルと、参照信号リソースエレメント対およびデータリソースエレメント対における２番目のリソースエレメント以外のほかのリソースエレメントが含まれ、参照信号リソースエレメント対およびデータリソースエレメント対における２番目のリソースエレメントに対応する位置に０で埋めた第２の部分のＯＦＤＭシンボルとの２つの部分に分けて処理し、前記第１の部分のＯＦＤＭシンボルの後に、前記第２の循環ガード期間を付加し、第２の部分のＯＦＤＭシンボルの前に、前記第１の循環ガード期間を付加し、その後、２つの部分のＯＦＤＭシンボルを加算して、前記ＯＦＤＭシンボル対の２番目のＯＦＤＭシンボルの送信信号を形成する。
【００６８】
上記は、ＯＦＤＭシンボル対における参照信号リソースエレメント対およびデータリソースエレメント対以外のほかのリソースエレメントに対して、各リソースエレメントの前に、第１の循環ガード期間を付加する具体的な実現方法を説明した。実際の応用で、ＯＦＤＭシンボル対における参照信号リソースエレメント対およびデータリソースエレメント対以外の、特定タイプの敏感なデータを搭載するリソースエレメントのみに対して、各リソースエレメントの前に、第１の循環ガード期間を付加してもよい。このような状況の具体的な実現方法は、上記に挙げた２つの具体的な実現方法に類似してもよい。
【００６９】
例えば、第１種の方法について、参照信号リソースエレメント対およびデータリソースエレメント対以外のほかのリソースエレメントにおいて、ほかの送信対象データをマッピングする前に、ＯＦＤＭシンボル対における２番目のリソースエレメントにマッピングしようとする特定タイプの敏感なデータに対して位相を補償することにより、ＯＦＤＭシンボルに対応する送信信号を生成する際に、前記特定タイプの敏感なデータの前に、第１の循環ガード期間を付加させる。その後、ＯＦＤＭシンボルに対応する送信信号を生成する際に、各ＯＦＤＭシンボルごとに、１番目のＯＦＤＭシンボルの前に、第１の循環ガード期間を付加して、前記ＯＦＤＭシンボル対の１番目のＯＦＤＭシンボルの送信信号を形成し、２番目のＯＦＤＭシンボルの後に、第２の循環ガード期間を付加して、前記ＯＦＤＭシンボル対の２番目のＯＦＤＭシンボルの送信信号を形成する。
【００７０】
また、例えば、第２種の方法について、各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、前記ＯＦＤＭシンボル対の２番目のＯＦＤＭシンボルを、特定タイプの敏感なデータを搭載するリソースエレメント以外のすべてのリソースエレメントが含まれ、特定タイプの敏感なデータを搭載するリソースエレメントの位置に０で埋めた第１の部分のＯＦＤＭシンボルと、特定タイプの敏感なデータを搭載するリソースエレメントが含まれ、特定タイプの敏感なデータを搭載するリソースエレメント以外のすべてのリソースエレメントに対応する位置に０で埋めた第２の部分のＯＦＤＭシンボルとの２つの部分に分けて処理し、前記第１の部分のＯＦＤＭシンボルの後に、前記第２の循環ガード期間を付加し、第２の部分のＯＦＤＭシンボルの前に、前記第１の循環ガード期間を付加し、その後、２つの部分のＯＦＤＭシンボルを加算して、前記ＯＦＤＭシンボル対の２番目のＯＦＤＭシンボルの送信信号を形成する。
【００７１】
ここで、第１の設定参照信号がＬＴＥにおける既存の参照信号である場合、例えば、第１の設定参照信号がセル参照信号、復調参照信号およびチャネル状態情報参照信号のうちの少なくとも１つを含む場合、上記の特定タイプの敏感なデータには、前記セル参照信号、復調参照信号およびチャネル状態情報参照信号のうち前記第１の設定参照信号以外の参照信号、ならびに物理層制御チャネルリソース、指示チャネルリソース、物理層放送チャネルリソースおよび同期信号リソースのうちの少なくとも１つが含まれてよい。
【００７２】
前記第１の設定参照信号が新規追加の参照信号である場合、上記の特定タイプの敏感なデータには、セル参照信号、チャネル状態情報参照信号、および、セル参照信号を用いて復調されたデータのうちの少なくとも１つが含まれてよい。
【００７３】
具体的に実現する際に、本発明の実施例においてＯＦＤＭシンボル対を区分する際に、リソースブロックを単位として行うことができる。現在サブフレームにおける各リソースブロックには、時間で連続する１４個のＯＦＤＭシンボルと周波数で連続する１２個のサブキャリアとが含まれる。ＯＦＤＭシンボル対を区分する前に、まず、該リソースブロックがＰＳ−ＯＦＤＭ技術を用いて保護するかどうかを決定することができる。例えば、チャネル品質（即ち送信機とその受信ユーザの受信機との間のチャネル状況）が悪いかどうか、受信側がＰＳ−ＯＦＤＭ技術をサポートするかどうかなどのような、ＰＳ−ＯＦＤＭ技術を用いて保護する必要があるリソースブロックに対応するチャネル品質および受信側が満たすべき条件を予め設定することができる。送信機とその受信ユーザの受信機との間のチャネル状況が理想的である場合、このリソースブロックは完全に従来のＬＴＥ規格を用いて生成することができ、ＰＳ−ＯＦＤＭ技術の保護を必要としない。送信機とその受信ユーザの受信機との間のチャネル状況が悪くて、かつ受信側がＰＳ−ＯＦＤＭ技術をサポートする場合、このリソースブロックはＰＳ−ＯＦＤＭ技術の保護を用いることができる。リソースブロックはＰＳ−ＯＦＤＭ技術を用いるかどうかについて、下り放送チャネル、制御チャネルなどの手段により受信側に通知することができる。
【００７４】
現在サブフレームの時間周波数リソースにおいてＰＳ−ＯＦＤＭ技術を用いる必要があるリソースブロックが存在する場合、即ち、現在サブフレームの時間周波数リソースにおける各リソースブロックを受信対象とするユーザのうち、チャネル品質および受信側が所定の条件を満たすユーザが存在する場合、現在サブフレームの時間周波数リソースからＯＦＤＭシンボル対を区分することができ、具体的に区分する際に、ＰＳ−ＯＦＤＭ技術を用いて保護する必要があるリソースブロックを基準として区分する。
【００７５】
この場合、現在サブフレームにおけるＰＳ−ＯＦＤＭ技術を用いて保護する必要がないリソースブロックにおいて、ＯＦＤＭシンボル対における２番目のシンボルにマッピングしようとするデータについて、これらのデータを参照信号リソースエレメント対およびデータリソースエレメント対以外のほかのリソースエレメントとして処理してもよいし、または特定タイプの敏感なデータとして処理してもよく、即ち、データをマッピングする際に、まず、それに対して、その位相を従来のＬＴＥ規格においてマッピングする場合の位相に一致させるように、数式２に従って位相を補償し、あるいは、それをＯＦＤＭシンボル対における２番目のＯＦＤＭシンボルの第２の部分データとして処理する。
【００７６】
本発明の実施例では、マッピングしようとする第１の設定参照信号の異なるタイプに基づき、ステップ１０１において、ＯＦＤＭシンボル対、ならびに参照信号リソースエレメント対およびデータリソースエレメント対の異なる区分方法がある可能である。以下、２つの例示により、第１の設定参照信号が既存の参照信号である場合、および第１の設定参照信号が新規追加の参照信号である場合を、それぞれ説明する。
【００７７】
（例示の１：第１の設定参照信号が既存の参照信号である場合）
例えば、第１の設定参照信号が、セル参照信号（ＣＲＳ）、復調参照信号（ＤＭＲＳ）、チャネル状態情報参照信号（ＣＳＩ−ＲＳ）などのような、既存のＬＴＥ規格に定義される参照信号である場合、ステップ１０１で、ＯＦＤＭシンボル対の区分は、ＯＦＤＭシンボル対の位置を、既存のＬＴＥ規格において第１の設定参照信号が使用するＯＦＤＭシンボルの位置（ＬＴＥにおいて第１の設定参照信号が使用するＯＦＤＭシンボルの位置と略称）に近くして、かつＯＦＤＭシンボル対の個数を、既存のＬＴＥ規格において第１の設定参照信号が使用するＯＦＤＭシンボルの個数に一致させることができる。このように保護された後、第１の設定参照信号が実際に使用するＯＦＤＭシンボルの個数は、既存のＬＴＥ規格においてそれが使用するＯＦＤＭシンボルの個数の倍になる。相応的に、参照信号リソースエレメント対を設定する場合、参照信号リソースエレメント対の位置を、既存のＬＴＥ規格において第１の設定参照信号が使用するリソースエレメントの位置に近くして、参照信号リソースエレメント対の個数を、既存のＬＴＥ規格において第１の設定参照信号が使用するリソースエレメントの個数に一致させることができる。保護された後、第１の設定参照信号が実際に使用するリソースエレメントの個数は、既存のＬＴＥ規格においてそれが使用するリソースエレメントの個数の倍になる。
【００７８】
図２は、第１の設定参照信号がセル参照信号である場合のＯＦＤＭシンボル対および参照信号リソースエレメント対の区分方法を示す図である。図２に示すのは、ＬＴＥシステムの４つのアンテナポートの同一の送信時間周波数リソースブロックであり、本稿で、全部、ＯＦＤＭシンボルを横座標として、サブキャリアを縦座標とする場合を例とする。ここで、横座標におけるＯＦＤＭシンボルの左から右は、ＯＦＤＭシンボルの伝送時間の古い順で配列し、縦座標におけるサブキャリアの上から下は、サブキャリアの周波数の大きい順で配列する。ここからわかるように、このリソースブロックは、１４個のＯＦＤＭシンボルからなり、各ＯＦＤＭシンボルには、１２個のサブキャリアが含まれ、まず、図２に示すように、各アンテナポートの時間周波数リソースブロックで、６つのＯＦＤＭシンボル対を区分し、即ち、左から１番目および２番目のＯＦＤＭシンボルを第１のＯＦＤＭシンボル対として、３番目および４番目のＯＦＤＭシンボルを第２のＯＦＤＭシンボル対として、５番目および６番目のＯＦＤＭシンボルを第３のＯＦＤＭシンボル対として、８番目および９番目のＯＦＤＭシンボルを第４のＯＦＤＭシンボル対として、１０番目および１１番目のＯＦＤＭシンボルを第５のＯＦＤＭシンボル対として、１２番目および１３番目のＯＦＤＭシンボルを第６のＯＦＤＭシンボル対として区分する。
【００７９】
その後、ＯＦＤＭシンボル対において、図２に示すようなＲ０、Ｒ１、Ｒ２、及びＲ３がマークされる位置に、セル参照信号リソースエレメント対を設定する。即ち、この時間周波数リソースブロックにおいてアンテナポート０を対応する場合、第１のＯＦＤＭシンボル対の下から１番目および７番目のサブキャリアにおけるリソースエレメント対を、セル参照信号リソースエレメント対として設定し、第３のＯＦＤＭシンボル対の下から４番目および１０番目のサブキャリアにおけるリソースエレメント対を、セル参照信号リソースエレメント対として設定し、第４のＯＦＤＭシンボル対の下から１番目および７番目のサブキャリアにおけるリソースエレメント対を、セル参照信号リソースエレメント対として設定し、第６のＯＦＤＭシンボル対の下から４番目および１０番目のサブキャリアにおけるリソースエレメント対を、セル参照信号リソースエレメント対として設定する。この時間周波数リソースブロックにおいてアンテナポート１を対応する場合、第１のＯＦＤＭシンボル対の下から４番目および１０番目のサブキャリアにおけるリソースエレメント対を、セル参照信号リソースエレメント対として設定し、第３のＯＦＤＭシンボル対の下から１番目および７番目のサブキャリアにおけるリソースエレメント対を、セル参照信号リソースエレメント対として設定し、第４のＯＦＤＭシンボル対の下から４番目および１０番目のサブキャリアにおけるリソースエレメント対を、セル参照信号リソースエレメント対として設定し、第６のＯＦＤＭシンボル対の下から１番目および７番目のサブキャリアにおけるリソースエレメント対を、セル参照信号リソースエレメント対として設定する。この時間周波数リソースブロックにおいてアンテナポート２を対応する場合、第２のＯＦＤＭシンボル対の下から１番目および７番目のサブキャリアにおけるリソースエレメント対を、セル参照信号リソースエレメント対として設定し、第５のＯＦＤＭシンボル対の下から１番目および７番目のサブキャリアにおけるリソースエレメント対を、セル参照信号リソースエレメント対として設定する。この時間周波数リソースブロックにおいてアンテナポート３を対応する場合、第２のＯＦＤＭシンボル対の下から４番目および１０番目のサブキャリアにおけるリソースエレメント対を、セル参照信号リソースエレメント対として設定し、第５のＯＦＤＭシンボル対の下から４番目および１０番目のサブキャリアにおけるリソースエレメント対を、セル参照信号リソースエレメント対として設定する。
【００８０】
その後、ＯＦＤＭシンボル対において図２に示すような埋められていない位置に、データリソースエレメントを設定する。即ち、各アンテナポートに対応する時間周波数リソースブロックにおいて、第２、第３、第４、第５および第６のＯＦＤＭシンボル対の下から２番目、３番目、５番目、６番目、８番目、９番目、１１番目、および１２番目のサブキャリアにおけるリソースエレメント対を、データリソースエレメントとして設定する。
【００８１】
各セル参照信号リソースエレメント対における２つのリソースエレメントにマッピングされるセル参照信号は同じであり、ことによって保護された完全なセル参照信号を構成する。各リソースブロックにおける物理層制御チャネル（ＰＤＣＣＨ）で伝送されるデータは、敏感なデータであり、ＯＦＤＭシンボル対における２番目のＯＦＤＭシンボルにマッピングしようとするデータは、ＩＦＦＴの前に位相を補償し、またはＯＦＤＭシンボル対における２番目のＯＦＤＭシンボルの第２の部分のデータとする必要がある。
【００８２】
図２に示す時間周波数リソースにおいて、Ｃがマークされるリソースエレメントは、物理層制御チャネルのデータをマッピングするリソースエレメントを表す。グリッド部分は、空リソースエレメントを表し、即ち、予備リソースである。
【００８３】
（例示の２：第１の設定参照信号が新規追加の参照信号である場合）
また、例えば、マッピングしようとする第１の設定参照信号は、ＰＳ−ＯＦＤＭ技術を用いて処理するデータを復調するための新規追加の参照信号であり、ここで、位相同期参照信号（ＰＳＲＳ）と記す。このような場合、従来のＬＴＥ規格におけるＯＦＤＭ技術標準との互換性をなるべく保持すると、上記のステップ１０１での具体的な実現方法は、以下の通りであってよい。
【００８４】
現在サブフレームの時間周波数リソースから、ＯＦＤＭシンボル対および参照信号リソースエレメント対を区分する際に、フレーム構造における物理層制御チャネル（ＰＤＣＣＨ）、物理層ハイブリッド自動再送要求（ＡＲＱ）指示チャネル（ＰＨＩＣＨ）、物理層制御チャネルフォーマット指示チャネル（ＰＣＦＩＣＨ）、放送チャネル（ＰＢＣＨ）、セル参照信号（ＣＲＳ）、チャネル状態情報参照信号（ＣＳＩ−ＲＳ）、主同期信号（ＰＳＳ）、副同期信号（ＳＳＳ）、上り下りの切り替え用ガード期間（ＧＰ）、および上りパイロット伝送タイムスロットにおける一部または全部の位置を、従来のＬＴＥにおける規格に一致させることをなるべく保証することができる。
【００８５】
相応的に、フレーム構造における物理層制御チャネルリソース、指示チャネルリソース、物理層放送チャネルリソース、同期信号リソース、および第２の設定参照信号（例えば、セル参照信号、復調参照信号リソース、チャネル状態情報参照信号）リソースのうちのいずれか１つまたは任意の組み合わせの位置に基づいて、区分されたＯＦＤＭシンボル対が、制御チャネル、指示チャネル、および物理層放送チャネルのうちのいずれか１つまたは任意の組み合わせの情報伝送に影響を与えず、および／または、同期信号および／または第２の設定参照信号の伝送にも影響を与えないように、現在サブフレームの時間周波数リソースから、少なくとも１つのＯＦＤＭシンボル対を区分することができる。
【００８６】
本例示において、ＯＦＤＭシンボル対の区分は、リソースブロックを単位として行うことができる。現在サブフレームにおける各リソースブロックには、時間で連続する１４個のＯＦＤＭシンボルと周波数で連続する１２個のサブキャリアとが含まれる。ＯＦＤＭシンボル対は、以下の方法に従って区分されることができる。
【００８７】
１）このリソースブロックがＰＳ−ＯＦＤＭ技術を用いて保護するかどうかを決定する。例えば、チャネル品質（即ち送信機とその受信ユーザの受信機との間のチャネル状況）が悪いかどうか、受信側がＰＳ−ＯＦＤＭ技術をサポートするかどうかなどのような、ＰＳ−ＯＦＤＭ技術を用いて保護する必要があるリソースブロックに対応するチャネル品質および受信側が満たすべき条件を、予め設定することができる。送信機とその受信ユーザの受信機との間のチャネル状況が理想的である場合、該リソースブロックは完全に従来のＬＴＥ規格を用いて生成することができ、ＰＳ−ＯＦＤＭ技術の保護を必要としない。送信機とその受信ユーザの受信機との間のチャネル状況が悪くて、かつ受信側がＰＳ−ＯＦＤＭ技術をサポートする場合、このリソースブロックはＰＳ−ＯＦＤＭ技術の保護を用いることができる。リソースブロックはＰＳ−ＯＦＤＭ技術を用いるかどうかについて、下り放送チャネル、制御チャネルなどの手段により受信側に通知することができる。
【００８８】
現在サブフレームの時間周波数リソースにおいてＰＳ−ＯＦＤＭ技術を用いる必要があるリソースブロックが存在する場合、即ち、現在サブフレームの時間周波数リソースにおける各リソースブロックを受信対象とするユーザのうち、チャネル品質および受信側が所定の条件を満たすユーザが存在する場合、現在サブフレームの時間周波数リソースからＯＦＤＭシンボル対を区分することができ、具体的に区分する際に、ＰＳ−ＯＦＤＭ技術を用いて保護する必要があるリソースブロックを基準として区分する。
【００８９】
もちろん、実際の応用で、現在サブフレームのすべてのリソースブロックに対してＰＳ−ＯＦＤＭ技術を用いて保護することをデフォルトとすることもできる。この場合、上記のステップ１）を省略してもよい。
【００９０】
２）現在リソースブロックにおいて物理層制御チャネル、指示チャネル、放送チャネル、セル参照信号、チャネル状態情報参照信号、主同期信号、副同期信号、上り下りの切り替え用ガード期間、上りパイロット伝送タイムスロット、および予備リソースなどの特別なチャネルと信号が存在するかどうか、ならびに上記の信号とチャネルが使用する位置を決定する。
【００９１】
３）ＯＦＤＭシンボル対を区分する。区分の規則は、以下の通りであってよい。（ａ）従来のＬＴＥ規格において、あるＯＦＤＭシンボルがすべてステップ２）における前記特別なチャネルまたは信号により使用される場合、このＯＦＤＭシンボルは、その隣接のＯＦＤＭシンボルとＯＦＤＭシンボル対を構成しない。（ｂ）従来のＬＴＥ規格において、あるＯＦＤＭシンボルにおいて使用済みのリソースがある場合、その隣接のＯＦＤＭシンボルにおける同一のサブキャリアに、使用済みのリソースがあるかどうかを考慮すべき、ＯＦＤＭシンボル対を区分する際に、ＯＦＤＭシンボル対におけるリソースエレメント対が同時に使用されることをなるべく保証すべきである。（ｃ）１つのリソースブロックのＯＦＤＭシンボル対を区分する際に、同一のサブフレーム（１４個のＯＦＤＭシンボルからなるサブフレーム）におけるすべてのリソースブロック（それは区分を参加する場合）のＯＦＤＭシンボル対の区分方法は、一致すべきである。同一のサブフレームにおける異なるリソースブロックにおける特別信号の位置が同じでない場合、ＯＦＤＭシンボル対を区分する際に、以上の２つの規則（ａ）（ｂ）を、すべてのリソースブロックについて成立させるべきである。
【００９２】
図３の典型的なＬＴＥ下りサブフレームにおける１つのリソースブロックを例として、このリソースブロックの１番目および２番目のシンボルが、ＰＤＣＣＨなどの下り制御チャネルにより使用され、シンボル対として区分されない。セル参照信号、チャネル状態情報参照信号、および予備の空リソースエレメントの要求を同時に考慮すると、３番目および４番目、６番目および７番目、８番目および９番目、１０番目および１１番目、１３番目および１４番目のＯＦＤＭシンボルをそれぞれＯＦＤＭシンボル対として区分する。具体的に、３番目および４番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として、１３番目および１４番目のＯＦＤＭシンボルを第５のＯＦＤＭシンボル対として区分することができる。
【００９３】
物理層放送チャネル（ＰＢＣＨ）を含むリソースブロックについて、放送チャネルが使用するリソースが多くて、残りのリソースが小さいことを考慮するため、このリソースブロックから、ＯＦＤＭシンボル対を区分することを考慮しなくてもよく、それに図４に示すようなＬＴＥ規格におけるフレーム構造を引き続き使用することができる。あるいは、上記の原則に従って、図５に示す構成として区分することができ、即ち、物理層制御チャネル、セル参照信号、チャネル状態情報参照信号、および予備の空リソースエレメントの要求を同時に考慮すると、３番目および４番目、６番目および７番目、１２番目および１３番目のＯＦＤＭシンボルをそれぞれＯＦＤＭシンボル対として区分する。具体的に、３番目および４番目のＯＦＤＭシンボルを第１のＯＦＤＭシンボル対として、６番目および７番目のＯＦＤＭシンボルを第２のＯＦＤＭシンボル対として、１２番目および１３番目のＯＦＤＭシンボルを第３のＯＦＤＭシンボル対として区分することができる。
【００９４】
副同期信号（ＳＳＳ）が含まれるリソースブロックについて、図６に示す例に従って区分することができる。物理層制御チャネル、セル参照信号、チャネル状態情報参照信号、および予備の空リソースエレメントの要求を同時に考慮すると、３番目および４番目、６番目および７番目、８番目および９番目、１０番目および１１番目、１２番目および１３番目のＯＦＤＭシンボルをそれぞれＯＦＤＭシンボル対として区分する。具体的に、３番目および４番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として、１２番目および１３番目のＯＦＤＭシンボルを第５のＯＦＤＭシンボル対として区分することができる。同一のサブフレームにＳＳＳが含まれないほかのリソースブロックについて、区分方法の一致を保持する必要があるため、図６に示す方法に従って区分することも必要となる。これらのリソースブロックにおいて、リソースブロックの最後のＯＦＤＭシンボルはＳＳＳを含まないが、これをＯＦＤＭシンボル対として区分することが依然としてできず、図６に示すように区分する必要がある。
【００９５】
時分割デュプレックスＬＴＥの特別サブフレームについて、即ち、下りパイロット伝送タイムスロット（ＤｗＰＴＳ）と、上り下りの切り替え用ガード期間（ＧＰ）と、上りパイロット伝送タイムスロット（ＵｐＰＴＳ）との３つの特別タイムスロットを含むサブフレームについて、図７および図８は、リソースブロックにおいて主同期信号が含まれる場合および主同期信号が含まれない場合の区分状況を、それぞれ示す。図に示す区分は、特別サブフレームの配置４の状況を例とするものである。ほかのＬＴＥ規格における特別サブフレームの配置について、依然として上記の原則に従って区分することができる。
【００９６】
図７は、主同期信号が含まれる場合の区分状況であり、物理層制御チャネル、セル参照信号、チャネル状態情報参照信号、および予備の空リソースエレメントの要求を同時に考慮すると、４番目および５番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として区分する。
【００９７】
図８は、主同期信号が含まれない場合の区分状況であり、図８に示すリソースブロックは、図７に示すリソースブロックと同一のサブフレームに位置するため、区分方法の一致を保持する必要があり、図７に示す方法に従って区分する必要もあり、即ち、同様に、４番目および５番目のＯＦＤＭシンボルを第１のＯＦＤＭシンボル対として、６番目および７番目のＯＦＤＭシンボルを第２のＯＦＤＭシンボル対として、８番目および９番目のＯＦＤＭシンボルを第３のＯＦＤＭシンボル対として、１０番目および１１番目のＯＦＤＭシンボルを第４のＯＦＤＭシンボル対として区分する。ここから分かるように、これらのリソースブロックにおいて、リソースブロックの３番目のＯＦＤＭシンボルは主同期信号を含まないが、これをＯＦＤＭシンボル対として区分することが依然としてできず、図７に示すように区分する必要がある。
【００９８】
４）所定のリソースブロックにおける各サブキャリアでの少なくとも１つのリソースエレメント対を参照信号リソースエレメント対として設定する。
【００９９】
あるいは、ステップ２）における前記の特別なチャネルまたは信号のリソースエレメントにおける使用状況に基づいて、まず、区分されたＯＦＤＭシンボル対において使用可能なリソースエレメント対を設定し、使用可能なリソースエレメント対の設定原則は以下の通りであってよい。（ａ）ＯＦＤＭシンボル対における同一のサブキャリアで隣接する２つのリソースエレメントのうちの１つが既にステップ２）における前記の特別なチャネルまたは信号により使用される場合、もう１つのリソースエレメントはそれとともに使用可能なリソースエレメント対を構成しない。（ｂ）２つのリソースエレメントがともにステップ２）における前記の特別なチャネルまたは信号により使用される場合、使用可能なリソースエレメント対を構成しない。（ｃ）同一のサブキャリアで使用されていないリソースエレメント対が１つのみ残る場合、このリソースエレメント対は使用可能なリソースエレメント対を構成しない。（ｄ）同一のサブキャリアで使用されていないリソースエレメント対が２つまたは３つのみ残る場合、システムの効率および信頼性に基づいて妥協することができ、それらのいずれかを使用可能なリソースエレメント対として区分し、または使用可能なリソースエレメント対として区分しない。
【０１００】
ここで、使用可能なリソースエレメント対を構成しないリソースエレメントにおけるデータは、セル参照信号を用いて復調する。
【０１０１】
区分された使用可能なリソースエレメント対から、ＰＳ−ＯＦＤＭシンボルの復調のための参照信号ＰＳＲＳリソースエレメント対を設定する。参照信号ＰＳＲＳリソースエレメント対の設定規則は以下の通りであってよい。（ａ）各サブキャリアで、１つより多くの使用可能なリソースエレメント対を含む場合、少なくとも１つのＰＳＲＳリソースエレメント対（本実施例では、いずれも１つを設定する場合を例とする）を設定することができる。（ｂ）使用済みのリソースの位置と衝突しない場合、隣接するサブキャリアにおけるＰＳＲＳリソースエレメント対は、時間領域でなるべく長い距離を間隔することができる。図３〜８は、本例示において各場合でのＰＳＲＳリソースエレメント対の設定例を示す。
【０１０２】
図３において、第１のＯＦＤＭシンボル対の下から２番目、４番目、６番目、８番目、１０番目、および１２番目のサブキャリアにおけるリソースエレメント対を、参照信号リソースエレメント対として設定し、第５のＯＦＤＭシンボル対の下から１番目、３番目、５番目、７番目、９番目、および１１番目のサブキャリアにおけるリソースエレメント対を、参照信号リソースエレメント対として設定する。
【０１０３】
図５において、第１のＯＦＤＭシンボル対の下から３番目、６番目、９番目、および１２番目のサブキャリアにおけるリソースエレメント対を、参照信号リソースエレメント対として設定し、第３のＯＦＤＭシンボル対の下から２番目、５番目、８番目、および１１番目のサブキャリアにおけるリソースエレメント対を、参照信号リソースエレメント対として設定する。
【０１０４】
図６において、第１のＯＦＤＭシンボル対の下から２番目、４番目、６番目、８番目、１０番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する。
【０１０５】
図７において、第１のＯＦＤＭシンボル対の下から２番目、６番目、８番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する。
【０１０６】
図８において、同様に、第１のＯＦＤＭシンボル対の下から２番目、６番目、８番目、および１２番目のサブキャリアにおけるリソースエレメント対を、参照信号リソースエレメント対として設定し、第４のＯＦＤＭシンボル対の下から１番目、３番目、５番目、７番目、９番目、および１１番目のサブキャリアにおけるリソースエレメント対を、参照信号リソースエレメント対として設定する。
【０１０７】
５）参照信号リソースエレメント対以外のリソースエレメント対から、データリソースエレメント対を区分する。
【０１０８】
図３において、第１のＯＦＤＭシンボル対の下から１番目、３番目、５番目、７番目、９番目、および１１番目のサブキャリアにおけるリソースエレメント対を、データリソースエレメント対として設定し、第２のＯＦＤＭシンボル対の下から１番目〜３番目、５番目〜９番目、１１番目、および１２番目のサブキャリアにおけるリソースエレメント対を、データリソースエレメント対として設定し、第３のＯＦＤＭシンボル対の下から２番目、３番目、５番目、６番目、８番目、１１番目、および１２番目のサブキャリアにおけるリソースエレメント対を、データリソースエレメント対として設定し、第４のＯＦＤＭシンボル対の下から１番目〜１２番目のサブキャリアにおけるリソースエレメント対を、データリソースエレメント対として設定し、第５のＯＦＤＭシンボル対の下から２番目、４番目、６番目、８番目、１０番目、および１２番目のサブキャリアにおけるリソースエレメント対を、データリソースエレメント対として設定する。
【０１０９】
図５において、第１のＯＦＤＭシンボル対の下から２番目、５番目、８番目、および１１番目のサブキャリアにおけるリソースエレメント対を、データリソースエレメント対として設定し、第２のＯＦＤＭシンボル対の下から２番目、３番目、５番目、６番目、８番目、９番目、１１番目、および１２番目のサブキャリアにおけるリソースエレメント対を、データリソースエレメント対として設定し、第３のＯＦＤＭシンボル対の下から３番目、６番目、９番目、および１２番目のサブキャリアにおけるリソースエレメント対を、データリソースエレメント対として設定する。
【０１１０】
図６において、第１のＯＦＤＭシンボル対の下から１番目、３番目、５番目、７番目、９番目、および１１番目のサブキャリアにおけるリソースエレメント対を、データリソースエレメント対として設定し、第２のＯＦＤＭシンボル対の下から１番目〜３番目、５番目〜９番目、１１番目、および１２番目のサブキャリアにおけるリソースエレメント対を、データリソースエレメント対として設定し、第３のＯＦＤＭシンボル対の下から２番目、３番目、５番目、６番目、８番目、９番目、１１番目、および１２番目のサブキャリアにおけるリソースエレメント対を、データリソースエレメント対として設定し、第４のＯＦＤＭシンボル対の下から２番目、４番目、６番目、８番目、１０番目、および１２番目のサブキャリアにおけるリソースエレメント対を、データリソースエレメント対として設定し、第５のＯＦＤＭシンボル対の下から２番目、３番目、５番目、６番目、８番目、９番目、１１番目、および１２番目のサブキャリアにおけるリソースエレメント対を、データリソースエレメント対として設定する。
【０１１１】
図７において、第１のＯＦＤＭシンボル対の下から３番目、５番目、９番目、および１１番目のサブキャリアにおけるリソースエレメント対を、データリソースエレメント対として設定し、第２のＯＦＤＭシンボル対の下から１番目〜３番目、５番目〜９番目、１１番目、および１２番目のサブキャリアにおけるリソースエレメント対を、データリソースエレメント対として設定し、第３のＯＦＤＭシンボル対の下から２番目、３番目、５番目、６番目、８番目、９番目、１１番目、および１２番目のサブキャリアにおけるリソースエレメント対を、データリソースエレメント対として設定し、第４のＯＦＤＭシンボル対の下から２番目、６番目、８番目、および１２番目のサブキャリアにおけるリソースエレメント対を、データリソースエレメント対として設定する。
【０１１２】
図８において、同様に、第１のＯＦＤＭシンボル対の下から３番目、５番目、９番目、および１１番目のサブキャリアにおけるリソースエレメント対を、データリソースエレメント対として設定し、第２のＯＦＤＭシンボル対の下から１番目〜３番目、５番目〜９番目、１１番目、および１２番目のサブキャリアにおけるリソースエレメント対を、データリソースエレメント対として設定し、第３のＯＦＤＭシンボル対の下から２番目、３番目、５番目、６番目、８番目、９番目、１１番目、および１２番目のサブキャリアにおけるリソースエレメント対を、データリソースエレメント対として設定し、第４のＯＦＤＭシンボル対の下から２番目、６番目、８番目、および１２番目のサブキャリアにおけるリソースエレメント対を、データリソースエレメント対として設定する。
【０１１３】
以上の例示の１および例示の２におけるリソースブロックの区分方法は、基地局とユーザ端末機器が事前に約束した方式でユーザ端末機器に通知してもよく、物理層放送チャネルまたは制御チャネルでシグナリングを伝送する方式でユーザ端末機器に通知してもよい。
【０１１４】
以上、本発明の実施例におけるデータの送信方法を詳しく説明したが、以下、本発明の実施例における上記の方法を応用するデータの送信装置を詳しく説明する。
【０１１５】
図９は本発明の実施例におけるデータの送信装置の例示的な構成図である。図９に示すように、この装置は、時間周波数リソース区分手段と、データマッピング手段と、送信フレーム生成手段と、データ送信手段と、を備えることができる。
【０１１６】
ここで、時間周波数リソース区分手段は、現在サブフレームの時間周波数リソースから、少なくとも１つの直交周波数分割多重（ＯＦＤＭ）シンボル対を区分し、各ＯＦＤＭシンボル対ごとに、時間で隣接する２つのＯＦＤＭシンボルが含まれ、異なるＯＦＤＭシンボル対におけるＯＦＤＭシンボルが重ならず、同一のＯＦＤＭシンボル対における同一のサブキャリアで隣接する２つのリソースエレメントＲＥが１つのリソースエレメント対を構成し、少なくとも１つのリソースエレメント対を参照信号リソースエレメント対として設定し、参照信号リソースエレメント対以外のほかのリソースエレメント対のうち少なくとも１つのリソースエレメント対をデータリソースエレメント対として設定する。
【０１１７】
データマッピング手段は、前記参照信号リソースエレメント対において、２つのリソースエレメントにおけるデータを同じにする方式で、第１の設定参照信号をマッピングし、前記データリソースエレメント対において、１つまたは２つのデータシンボルをマッピングし、前記データリソースエレメント対において、１つのデータシンボルをマッピングする場合、２つのリソースエレメントにおけるデータを同じにする方式で、前記データシンボルをマッピングし、前記データリソースエレメント対において、２つのデータシンボルをマッピングする場合、前記２つのデータシンボルをそれぞれ２つのリソースエレメントにマッピングし、参照信号リソースエレメント対およびデータリソースエレメント対以外のほかのリソースエレメントにおいて、ほかの送信対象データをマッピングする。
【０１１８】
送信フレーム生成手段は、ＯＦＤＭシンボルに対応する送信信号を生成して、生成されたＯＦＤＭシンボルに対応する送信信号を送信フレームとして構成し、ここで、ＯＦＤＭシンボルに対応する送信信号を生成する際に、各ＯＦＤＭシンボル対における参照信号リソースエレメント対およびデータリソースエレメント対に対して、前記参照信号リソースエレメント対およびデータリソースエレメント対における１番目のリソースエレメントの前に、前記１番目のリソースエレメントに対応する時間領域信号の末尾部分の信号を複製した第１の循環ガード期間を付加させ、前記参照信号リソースエレメント対およびデータリソースエレメント対における２番目のリソースエレメントの後に、前記２番目のリソースエレメントに対応する時間領域信号の先頭部分の信号を複製した第２の循環ガード期間を付加させる。
【０１１９】
データ送信手段は、生成された送信フレームを送信する。
【０１２０】
本発明の実施例におけるデータの送信方法に対応して、前記送信フレーム生成手段は、さらに、ＯＦＤＭシンボルに対応する送信信号を生成する際に、参照信号リソースエレメント対およびデータリソースエレメント対以外のほかのリソースエレメントの前に、第１の循環ガード期間を付加させる。
【０１２１】
具体的に実現する場合、本発明の実施例におけるデータの送信方法に対応して、送信フレーム生成手段はＯＦＤＭシンボルに対応する送信信号を生成する際に、ＯＦＤＭシンボル対における参照信号リソースエレメント対およびデータリソースエレメント対に対して、前記参照信号リソースエレメント対およびデータリソースエレメント対における１番目のリソースエレメントの前に、第１の循環ガード期間を付加させ、前記参照信号リソースエレメント対およびデータリソースエレメント対における２番目のリソースエレメントの後に、第２の循環ガード期間を付加させ、かつＯＦＤＭシンボル対における参照信号リソースエレメント対およびデータリソースエレメント対以外のほかのリソースエレメントに対して、各リソースエレメントの前に、第１の循環ガード期間を付加させる具体的な実現方法は、同様にいくつかがある。
【０１２２】
本発明の実施例におけるデータの送信方法の第１種の方法に対応して、本実施例の装置における送信フレーム生成手段は、各ＯＦＤＭシンボル対ごとに、１番目のＯＦＤＭシンボルの前に、第１の循環ガード期間を付加して、前記ＯＦＤＭシンボル対の１番目のＯＦＤＭシンボルの送信信号を形成し、２番目のＯＦＤＭシンボルの後に、第２の循環ガード期間を付加して、前記ＯＦＤＭシンボル対の２番目のＯＦＤＭシンボルの送信信号を形成し、この場合、前記データマッピング手段は、参照信号リソースエレメント対およびデータリソースエレメント対以外のほかのリソースエレメントにおいて、ほかの送信対象データをマッピングする前に、さらに、ＯＦＤＭシンボル対における２番目のリソースエレメントにマッピングしようとする第１のほかの送信対象データに対して位相を補償することにより、ＯＦＤＭシンボルに対応する送信信号を生成する際に、前記第１のほかの送信対象データの前に、第１の循環ガード期間を付加させる。
【０１２３】
本発明の実施例におけるデータの送信方法の第２種の方法に対応して、前記送信フレーム生成手段は、各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、前記ＯＦＤＭシンボル対の２番目のＯＦＤＭシンボルを、すべての参照信号リソースエレメント対およびデータリソースエレメント対における２番目のリソースエレメントが含まれ、参照信号リソースエレメント対およびデータリソースエレメント対における２番目のリソースエレメント以外のほかのリソースエレメントに対応する位置に０で埋めた第１の部分のＯＦＤＭシンボルと、参照信号リソースエレメント対およびデータリソースエレメント対における２番目のリソースエレメント以外のほかのリソースエレメントが含まれ、参照信号リソースエレメント対およびデータリソースエレメント対における２番目のリソースエレメントの所在する位置に０で埋めた第２の部分のＯＦＤＭシンボルとの２つの部分に分けて処理し、前記第１の部分のＯＦＤＭシンボルの後に、前記第２の循環ガード期間を付加し、第２の部分のＯＦＤＭシンボルの前に、前記第１の循環ガード期間を付加し、その後、２つの部分のＯＦＤＭシンボルを加算して、前記ＯＦＤＭシンボル対の２番目のＯＦＤＭシンボルの送信信号を形成する。
【０１２４】
本発明の実施例におけるデータの送信方法に対応して、実際の応用で、ＯＦＤＭシンボル対における参照信号リソースエレメント対およびデータリソースエレメント対以外の、特定タイプの敏感なデータを搭載するリソースエレメントのみに対して、各リソースエレメントの前に、第１の循環ガード期間を付加してもよい。このような状況の具体的な実現方法は、上記に挙げた２つの具体的な実現方法に類似してもよい。
【０１２５】
例えば、第１種の方法について、データマッピング手段は、参照信号リソースエレメント対およびデータリソースエレメント対以外のほかのリソースエレメントにおいて、ほかの送信対象データをマッピングする前に、ＯＦＤＭシンボル対における２番目のリソースエレメントにマッピングしようとする特定タイプの敏感なデータに対して位相を補償することにより、ＯＦＤＭシンボルに対応する送信信号を生成する際に、前記特定タイプの敏感なデータの前に、第１の循環ガード期間を付加させる。送信フレーム生成手段は、ＯＦＤＭシンボルに対応する送信信号を生成する際に、各ＯＦＤＭシンボルごとに、１番目のＯＦＤＭシンボルの前に、第１の循環ガード期間を付加して、前記ＯＦＤＭシンボル対の１番目のＯＦＤＭシンボルの送信信号を形成し、２番目のＯＦＤＭシンボルの後に、第２の循環ガード期間を付加して、前記ＯＦＤＭシンボル対の２番目のＯＦＤＭシンボルの送信信号を形成する。
【０１２６】
また、例えば、第２種の方法について、送信フレーム生成手段は、各ＯＦＤＭシンボル対ごとに、１番目のＯＦＤＭシンボルの前に、前記１番目のＯＦＤＭシンボルの末尾部分の信号を複製した第１の循環ガード期間を付加して、前記ＯＦＤＭシンボル対の１番目のＯＦＤＭシンボルの送信信号を形成し、前記ＯＦＤＭシンボル対の２番目のＯＦＤＭシンボルを、特定タイプの敏感なデータを搭載するリソースエレメント以外のすべてのリソースエレメントが含まれ、特定タイプの敏感なデータを搭載するリソースエレメントの位置に０で埋めた第１の部分のＯＦＤＭシンボルと、特定タイプの敏感なデータを搭載するリソースエレメントが含まれ、特定タイプの敏感なデータを搭載するリソースエレメント以外のすべてのリソースエレメントの所在する位置に０で埋めた第２の部分のＯＦＤＭシンボルとの２つの部分に分けて処理し、前記第１の部分のＯＦＤＭシンボルの後に、前記第２の循環ガード期間を付加し、第２の部分のＯＦＤＭシンボルの前に、前記第１の循環ガード期間を付加し、その後、２つの部分のＯＦＤＭシンボルを加算して、前記ＯＦＤＭシンボル対の２番目のＯＦＤＭシンボルの送信信号を形成する。
【０１２７】
本発明の実施例におけるデータの送信方法に対応して、第１の設定参照信号は、従来技術における既存の参照信号であってもよく、新規追加の参照信号であってもよい。
【０１２８】
第１の設定参照信号が新規追加の信号である場合、時間周波数リソース区分手段は、フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの位置に基づいて、区分されたＯＦＤＭシンボル対が、前記物理層制御チャネル、指示チャネル、および物理層放送チャネルのうちのいずれか１つまたは任意の組み合わせの情報伝送に影響を与えず、および／または、同期信号、セル参照信号、復調参照信号、チャネル状態情報参照信号のうちのいずれか１つまたは任意の組み合わせの伝送に影響を与えないように、現在サブフレームの時間周波数リソースから、少なくとも１つのＯＦＤＭシンボル対を区分する。具体的な区分原則は、上記の方法の例示の２の説明に一致してもよい。
【０１２９】
そして、この時間周波数リソース区分手段は、所定のリソースブロックの各サブキャリアにおける少なくとも１つのリソースエレメント対を、参照信号リソースエレメント対として区分し、または、この時間周波数リソース区分手段は、フレーム構造における物理層制御チャネルリソース、指示チャネルリソース、物理層放送チャネルリソース、同期信号リソース、セル参照信号リソース、復調参照信号リソース、チャネル状態情報参照信号リソースのうちのいずれか１つまたは任意の組み合わせの所在するリソースエレメントの位置に基づいて、所定のリソースブロックから区分されたＯＦＤＭシンボル対の中で、使用可能なリソースエレメント対を設定し、前記所定のリソースブロックの１つのサブキャリアにおける使用可能なリソースエレメント対が２対以上である場合、該サブキャリアにおける少なくとも１つの使用可能なリソースエレメント対を、参照信号リソースエレメント対として区分する。具体的な区分原則は、上記の方法の例示の２の説明に一致してもよい。
【０１３０】
第１の設定参照信号が既存の信号であり、例えばセル参照信号、復調参照信号、およびチャネル状態情報参照信号のうちの少なくとも１つを含む場合、時間周波数リソース区分手段は、ＯＦＤＭシンボル対の位置をＬＴＥにおいて第１の設定参照信号が使用するＯＦＤＭシンボルの位置に近くして、かつＯＦＤＭシンボル対の個数をＬＴＥにおいて第１の設定参照信号が使用するＯＦＤＭシンボルの個数に一致させる原則に従って、現在サブフレームの時間周波数リソースから、少なくとも１つのＯＦＤＭシンボル対を区分し、参照信号リソースエレメント対の位置をＬＴＥにおいて第１の設定参照信号が使用するリソースエレメントの位置に近くして、かつ参照信号リソースエレメント対の個数をＬＴＥにおいて第１の設定参照信号が使用するリソースエレメントの個数に一致させる原則に従って、少なくとも１つのリソースエレメント対を参照信号リソースエレメント対として設定する。
【０１３１】
本発明の実施例におけるデータの送信方法に対応して、図９の点線部分に示すように、該装置は、現在サブフレームの時間周波数リソースにおける各リソースブロックを受信対象とするユーザのうち、チャネル品質および受信側が所定の条件を満たすユーザが存在するかどうかを判断する判断手段をさらに備える。
【０１３２】
前記時間周波数リソース区分手段は、前記ユーザのうち、チャネル品質および受信側が所定の条件を満たすユーザが存在する場合、前記現在サブフレームの時間周波数リソースから、少なくとも１つのＯＦＤＭシンボル対を区分する動作を実行する。
【０１３３】
この場合、前記データマッピング手段は、チャネル品質および受信側が所定の条件を満たさないユーザの受信対象リソースブロックに、各ＯＦＤＭシンボル対における２番目のＯＦＤＭシンボルにマッピングしようとするすべてのデータを敏感なデータとして処理し、または、チャネル品質および受信側が所定の条件を満たさないユーザの受信対象リソースブロックにおけるすべてのリソースエレメントを参照信号リソースエレメント対およびデータリソースエレメント対以外のほかのリソースエレメントとして処理することができる。
【０１３４】
具体的に実現する場合、本実施例の装置の一部または全部の構成部分は、ハードウェア回路であってもよいし、プログラムコードであってもよく、プログラムコードにより実現する構成部分について、該装置は、プロセッサ（図示せず）およびコンピュータ読み取り可能な記憶媒体（図示せず）をさらに備えてよい。
【０１３５】
ここで、プログラムコードにより実現する構成部分は、前記コンピュータ読み取り可能な記憶媒体に記憶するプログラムコードである。
【０１３６】
前記プロセッサは、前記コンピュータ読み取り可能な記憶媒体におけるプログラムコードを実行する。
【０１３７】
当業者にとって、図面はあくまで１つの好ましい実施例の例示的な図にすぎず、図面におけるモジュールまたはフローは、必ずしも本発明を実施するための必要とは限らないものである、ことを理解することができる。
【０１３８】
当業者にとって、実施例の装置におけるモジュールは、実施例の説明に従って実施例の装置に分布するようにしてもよく、相応の変化を行って本実施例と異なる１つまたは複数の装置に位置するようにしてもよい。上記の実施例のモジュールは、１つのモジュールに合併するようにしてもよく、複数のサブモジュールにさらに分割するようにしてもよい。
【０１３９】
本発明の実施例における一部のステップは、ソフトウェアを用いて実現することができ、相応のソフトウェアプログラムは、光ディスクまたはハードディスクなどのような読み取り可能な記憶媒体に記憶するようにしてもよい。
【０１４０】
上記の具体的な実施例は、本発明の目的、解決手段、および有益な効果をさらに詳しく説明したが、理解すべきところとして、上記は、本発明の好ましい実施例にすぎず、本発明の保護範囲を限定するものではない。本発明の精神と原則内で行われるいかなる修正、均等置換え、改善などは全て本発明の保護範囲内に含まれるべきである。
【図１】
2014057309.tif 000005
【図９】
2014057309.tif 000006
【図２】
2014057309.tif 000007
【図３】
2014057309.tif 000008
【図４】
2014057309.tif 000009
【図５】
2014057309.tif 000010
【図６】
2014057309.tif 000011
【図７】
2014057309.tif 000012
【図８】
2014057309.tif 000013